(57)【要約】【課題】空気清浄と空気加湿を行うことができる加湿空気清浄機を提供する。【解決手段】加湿空気清浄機は、キャビネットの前側から選択的に引き出され、キャビネットの前側に引き込まれて、キャビネットの内側部分をそれぞれ開閉するように支持および構成されたドアアセンブリを含む。ドアアセンブリは、ドアアセンブリと共に加湿空気清浄機の外に引き出され、その中に引き込まれるエアフィルタと加湿装置を支持するように構成された収容部分を含む。【選択図】  図１
2020071017.tif 000002
【特許請求の範囲】
【請求項１】
加湿空気清浄機であって、
少なくとも前方に開放されたキャビネットと、
前記キャビネットから引き出されるように支持され構成された引き出しであって、エアフィルタ、水槽、および加湿フィルタを支持するように構成された引き出しとを備えてなり、
前記引き出しは、
前記引き出しの下面上のベース面を形成する底面と、
前記底面の両側端部から上方に延在するそれぞれの側面と、
前記それぞれの側面の前端部を互いに接続し、前記それぞれの側面の両方よりも高い高さまで上方に延在する前面とを備え、
前記底面は、
前記水槽が着座する水槽台座面と、
前記水槽台座面の前に配置され、前記水槽台座面よりも高い位置まで延在し、前記エアフィルタを着座させるように構成されたエアフィルタ台座面と、
前記エアフィルタ台座面と前記前面との間の開口部として画定される吸気口とを備えてなる、加湿空気清浄機。
【請求項２】
前記吸気口は、前記キャビネットの左右方向の幅Ｗ１が前記キャビネットの前後方向の幅Ｗ２よりも大きいものである、請求項１に記載の加湿空気清浄機。
【請求項３】
前記キャビネットの前記左右方向の前記吸気口の前記幅Ｗ１は、前記キャビネットに対して横方向の前記エアフィルタの幅に対応する、請求項２に記載の加湿空気清浄機。
【請求項４】
前記引き出しは、前記エアフィルタ台座面の後端部から上方に延在する後部支持ジョーを更に備えてなる、請求項１に記載の加湿空気清浄機。
【請求項５】
前記後部支持ジョーは、前記水槽台座面および前記エアフィルタ台座面よりも高い高さまで延在する、請求項４に記載の加湿空気清浄機。
【請求項６】
加湿空気清浄機であって、
第１のベースと、前記第１のベースの後側から上方に延在するベース接続部分と、前記ベース接続部分から後方に延在する第２のベースとを備えたベースと、
前記ベースの両側の各々から上方に延在するそれぞれのサイドパネルと、前記それぞれのサイドパネルの上側に配置された上部パネルと、を含むパネルアセンブリと、
前記パネルアセンブリの前側に取り外し可能に支持されたドアパネルと、
前記ドアパネルに結合され、前記第２のベースによって支持され、前記パネルアセンブリの内側部分から選択的に引き出され、前記パネルアセンブリの前記内側部分に引き込まれるように構成されたドアアセンブリと、
前記ドアパネルまたは前記ドアアセンブリの一方に形成された吸気口と、
前記吸気口と前記ドアパネルの下方の前記第１のベースとの間の空間として画定される凹部部分と、
前記吸気口を通過する空気が前記エアフィルタを通過するように、前記ドアアセンブリに取り付けられたエアフィルタと、
前記エアフィルタを通過する前記空気が前記加湿装置を通過するように、前記ドアアセンブリに取り付けられた加湿装置とを備えてなる、加湿空気清浄機。
【請求項７】
前記ドアアセンブリは、
前記エアフィルタおよび前記加湿装置を支持するように構成されたドア下面部分と、
ドア下面部分の両側から上方に延在するそれぞれのドア側面部分とを備えてなる、請求項６に記載の加湿空気清浄機。
【請求項８】
前記吸気口は前記ドア下面部分に形成され、
前記吸気口、前記エアフィルタ、および前記加湿装置は、前記ドアアセンブリの前後方向に連続して整列している、請求項７に記載の加湿空気清浄機。
【請求項９】
前記加湿装置の出口側に取り付けられた送風ファンを更に備え、
前記エアフィルタ、前記加湿装置、及び前記送風ファンは、前記加湿空気清浄機の前後方向に連続して整列している、請求項８に記載の加湿空気清浄機。
【請求項１０】
加湿空気清浄機であって、
第１の側面、第２の側面、並びに前記第１の側面の前端部及び前記第２の側面の前端部に結合された前面開口部を画定するバーを含む本体フレームと、
前記第１の側面に結合され、前記バーの前方に延在する第１のサイドパネルと、
前記第２の側面に結合され、前記バーの前方に延在する第２のサイドパネルと、
前記バーの前面と、前記第１のサイドパネルおよび前記第２のサイドパネルのそれぞれの側面と、に接触しているシーリングフレームと、
前記シーリングフレームの前面に結合され、前記前面開口部を覆うドアパネルと、
前記ドアパネルに結合され、前記前面開口部から選択的に引き出され、前記前面開口部に引き込まれるように支持され構成された引き出しとを備えてなる、加湿空気清浄機。
【請求項１１】
前記引き出しが前記本体フレームに引き込まれると、前記シーリングフレームの外面の少なくとも２つが、前記バー、前記第１のサイドパネル、及び前記第２のサイドパネルのうちの少なくとも１つと密着して、前記前面開口部をシールする、請求項１０に記載の加湿空気清浄機。
【請求項１２】
前記本体フレームの下端部に取り付けられたスライドレールと、
前記引き出しの下端部に取り付けられ、前記スライドレールと結合されたレールガイドとを更に備えてなる、請求項１０に記載の加湿空気清浄機。
【請求項１３】
空気が前記加湿空気清浄機に引き込まれる吸気口が、前記引き出しの底面に形成され、
前記シーリングフレームは、前記シーリングフレームの両下端部から互いに向かい合うように延在する第１の端部部分及び第２の端部部分を含み、
前記第１の端部部分及び前記第２の端部部分は、互いに離間し、前記吸気口と流れ連通する空間を形成する、請求項１０に記載の加湿空気清浄機。
【請求項１４】
加湿空気清浄機であって、
開いた前面を有する本体フレーム、前記本体フレームの側面に結合されたサイドパネル、及び前記サイドパネルの上側に結合された上部パネルを備えたキャビネットと、
前記ドアアセンブリに取り付けられ、前記本体フレームの開放方向に前記本体フレームから選択的に引き出され、前記本体フレームの閉鎖方向に前記本体フレームに引き込まれるように構成された引き出しと、前記引き出しに取り付けられたエアフィルタ及び加湿フィルタと、前記引き出しの前部外面上に支持されたドアパネルと、を備えたドアアセンブリとを備えてなり、
前記ドアパネル、前記サイドパネル、又は前記上部パネルのうちの少なくとも１つは、木材で形成されている、加湿空気清浄機。
【請求項１５】
前記ドアパネル、前記サイドパネル、又は前記上部パネルのうちの少なくとも１つは、それぞれの内面に刻まれた複数の溝を有する、請求項１４に記載の加湿空気清浄機。
【請求項１６】
前記ドアパネル、前記サイドパネル、又は前記上部パネルのうちの少なくとも１つは、金属材料で作られたそれぞれの補強フレームを有し、
前記それぞれの補強フレームは、前記ドアパネル、前記サイドパネル、又は前記上部パネルのうちの前記少なくとも１つのそれぞれの内面に挿入されている、請求項１４に記載の加湿空気清浄機。
【請求項１７】
加湿空気清浄機であって、
開放された前面を含むキャビネットと、
前記キャビネットから選択的に引き出され、または前記キャビネットに引き込まれるように支持され構成されたドアアセンブリとを備えてなり、
前記ドアアセンブリは、
底面を含み、空気が前記キャビネットに引き込まれる吸気口を画定するドア底面部分と、
前記吸気口の前端部を画定し、前記ドア底面部分から上方に延在するドア前面部分と、
前記吸気口の斜め上方に配置されたエアフィルタアセンブリとを備え、
前記エアフィルタアセンブリは、前記吸気口の後端部に位置する下端部と、前記ドア前面部分の上端部に位置する上端部とを備えてなる、加湿空気清浄機。
【請求項１８】
前記エアフィルタアセンブリの前記下端部から前記上端部までの長さは、前記吸気口の前記前端部から前記吸気口の下端部までの第１の長さ、又は、前記吸気口の前記前端部から前記ドア前面部分の前記上端部までの第２の長さの少なくとも一方より長い、請求項１７に記載の加湿空気清浄機。
【請求項１９】
前記ドアアセンブリは、
前記ドア前面部分の両側端部から後方に延在し、各々が前記ドア前面部分の前記上端部から前記ドア底面部分に向かって斜め後方に延在するフィルタガイドをそれぞれ形成する、それぞれのドア側面部分と、
前記それぞれのフィルタガイドから両方向に延在し、前記ドアアセンブリの前側から前記エアフィルタアセンブリを支持するそれぞれのフィルタ支持部分とを備えてなる、請求項１７に記載の加湿空気清浄機。
【請求項２０】
前記ドアアセンブリは、
前記ドア前面部分の両側端部から後方に延在するそれぞれのドア側面部分と、
前記それぞれのドア側面部分から突出して、前記ドアアセンブリの後側から前記エアフィルタアセンブリをガイドして支持するそれぞれのガイドリブと、
前記エアフィルタアセンブリに配置され、前記それぞれのガイドリブと接触するそれぞれの装着突起とを更に備えてなる、請求項１７に記載の加湿空気清浄機。
【発明の詳細な説明】
【技術分野】
【０００１】
本発明は、空気清浄と空気加湿を行うことができる加湿空気清浄機に関する。
【背景技術】
【０００２】
空気清浄機は、汚染された空気を吸い込んで汚染された空気を浄化し、浄化された空気を排出する装置として理解されている。例えば、空気清浄機は、空気清浄機の内側部分に外気を導入する送風装置と、空気中のダストや細菌などをフィルタ処理することができるフィルタと、を含んでもよい。
【０００３】
近年、空気清浄機を家具の一種として認識し、空気清浄機と周囲の家具との調和を強調するように設計された空気清浄機が開発された。特に、空気清浄機が寝室に設けられる場合、その外観パネルがワードローブやベッドとの調和を重視した木材で作られている空気清浄機が提案されている。
【０００４】
空気清浄機は、一般的な家具と同様の引き出し型ドアを含むことができ、ドアを開けることができ、空気清浄機の内部構成要素を清掃または交換することができる。
【０００５】
このような引き出し型空気清浄機に関して、以下の関連する技術文献１が開示されている。
【０００６】
１．特許登録番号（登録日）：第１０−０４８５５７８号（２００５年４月１８日）
【０００７】
２．発明の名称：空気清浄機
【０００８】
上述した関連する技術文献１によれば、以下の問題が存在する可能性がある。
【０００９】
第１に、関連する技術文献１の空気清浄機は、送風部分と、フィルタ部分と、吸気開閉部分と、を上下に並べて別々の引き出しに設置するように含む。したがって、空気清浄機の内側部分にアクセスするために、ユーザがすべての引き出しを開かなければならないという欠点がある。
【００１０】
第２に、比較的重い空気吹き出し部分がフィルタ部分および吸気開閉部分の上に積み重ねられているため、フィルタ部分または吸気開閉部分が設置された下側の引き出しが変形する可能性がある。
【００１１】
一方、引き出し型空気清浄機に関しては、以下の関連する技術文献２が開示されている。
【００１２】
１．実用新案登録番号（登録日）：第２０−０４１９４４３号（２００６年６月１４日）
【００１３】
２．実用新案の名称：引き出し型空気清浄機
【００１４】
上述した関連する技術文献２によれば、以下の問題が存在する可能性がある。
【００１５】
第１に、関連文献２の空気清浄機は、本体の後面および底面に空気を導入するための吸気口が形成されるように構成されている。家具のような外観を有する空気清浄機の場合、それはしばしば部屋の壁面（後面または側面）に隣接して配置される。したがって、本体の後面に吸気口が形成されている場合、および本体と壁面との間の空間が狭すぎて、本体の底面に吸気口が形成されている場合には、本体と底面の空間が狭すぎるため、吸気性能が低下する可能性がある。
【００１６】
第２に、フィルタと駆動ファンが一緒に引き出しの内部空間に設置されている。この場合、ユーザがフィルタを交換または清掃するために引き出しを引き出す際に、比較的重い駆動ファンも引き出しと一緒に引き出す必要があるという難点がある。
【００１７】
一方、近年、空気清浄機に加湿機能を付加した加湿空気清浄機が開発されている。
【００１８】
このような加湿空気清浄機に関して、以下の関連する技術文献３が開示されている。
【００１９】
１．日本特許登録番号（登録日）：第５，８４２，９６２号（２０１５年１１月２７日）
【００２０】
２．発明の名称：空気清浄機
【００２１】
上述した関連する技術文献３によれば、以下の問題が存在する可能性がある。
【００２２】
第１に、関連する技術文献３の空気清浄機では、空気清浄機の下部部分から上部部分に向かって垂直方向に送風機、空気清浄フィルタ、加湿ユニットが積み重ねられている。空気清浄フィルタおよび加湿ユニットは、ユーザが定期的に清掃または交換する必要がある構成要素であり、上記の構造によれば、空気清浄フィルタまたは加湿ユニットを分離することは面倒で困難である。
【００２３】
第２に、加湿ユニットが送風機および空気清浄フィルタの上方に配置されているため、加湿ユニットに存在する水が落下し、送風機または空気清浄フィルタに流入する可能性がある。この場合、送風機や空気清浄フィルタの性能が低下したり、故障が起きたりする可能性がある。
【先行技術文献】
【特許文献】
【００２４】
【特許文献１】特許第１０−０４８５５７８号
【特許文献２】実用新案登録第２０−０４１９４４３号
【特許文献３】特許第５，８４２，９６２号
【発明の概要】
【００２５】
〔発明が解決しようとする課題〕
〔課題を解決するための手段〕
本発明は、上記問題を解決するためになされたものであり、引き出す引き出しのように開くように構成されたドアを提供することにより、加湿空気清浄機の内側部分へのアクセスを容易に提供できる加湿空気清浄機を提供することを目的とする。
【００２６】
さらに、本発明の別の目的は、加湿空気清浄機から引き出し型のドアを一度引き出すだけで、ユーザが水容器とフィルタに簡単にアクセスできるように、ドアに水容器とフィルタが配置された加湿空気清浄機を提供することである。
【００２７】
さらに、本発明の別の目的は、キャビネットの前下部分から空気を吸い込んで吸気性能を向上させることができる加湿空気清浄機を提供することである。
【００２８】
さらに、本発明の別の目的は、加湿空気清浄機に吸い込まれる空気がエアフィルタの全領域を通過できるように、ドアの後面にエアフィルタを取り付けて空気のフィルタリング性能を向上させることができる加湿空気清浄機を提供することである。
【００２９】
さらに、本発明の別の目的は、エアフィルタを装着するためのガイド構造を提供することにより、ユーザの利便性を高めることができる加湿空気清浄機を提供することである。
【００３０】
さらに、本発明の別の目的は、浄化された空気を容易に加湿するように構成されたエアフィルタの出口側に加湿フィルタを備えた加湿空気清浄機を提供することである。
【００３１】
さらに、本発明の別の目的は、キャビネットの内側部分に送風ファンが固定された加湿空気清浄機を提供することであり、これにより、ユーザがドアを開けても送風ファンにアクセスすることが難しくなり、安定性と安全性が確保される。
【００３２】
さらに、本発明の別の目的は、加湿空気清浄機の上面部分領域を貯水部分として利用することができる加湿空気清浄機を提供することである。
【００３３】
さらに、本発明の別の目的は、その外観パネルが木材で作られ、家具と同様の美観を有することができる加湿空気清浄機を提供することである。
【００３４】
上記の目的を達成するために、本発明の実施形態による加湿空気清浄機は、キャビネットの前側から前方にキャビネットから引き出すことができる引き出し型ドアアセンブリを含む。したがって、キャビネットの前側からドアアセンブリを引き出すことにより、キャビネットの内側部分へのアクセスを容易に提供することができる。
【００３５】
ドアアセンブリは、エアフィルタと加湿装置を収容する引き出しの形態のドアを含む。ドアアセンブリが加湿空気清浄機のキャビネットから引き出されると、ドアに収容されているエアフィルタと加湿装置が一緒に引き出される。
【００３６】
さらに、ドアアセンブリが取り付けられ、キャビネットから引き出されるか、キャビネットに再挿入されるように適合される。一例として、本発明の実施形態による加湿空気清浄機は、前面開口部が形成されたキャビネットと、エアフィルタアセンブリと、エアフィルタアセンブリの背後に配置された加湿フィルタアセンブリが挿入されるドアアセンブリと、ドアアセンブリが、レールアセンブリに沿ってキャビネットの前面開口部から引き出されるか、同じレールアセンブリに沿ってキャビネットの前面開口部内に押し戻すことができるように、ドアアセンブリをキャビネットと接続するレールアセンブリと、を含む。
【００３７】
ドアアセンブリには、空気がキャビネットに導入される吸気口が形成されている。
【００３８】
エアフィルタおよび加湿装置は、吸気口から吸い込まれた空気がエアフィルタおよび加湿装置を順に通過するように配置されてもよい。
【００３９】
吸気口、エアフィルタ、および加湿装置は、ドアアセンブリの収容部分内でドアアセンブリの前後方向に連続して整列されてもよい。
【００４０】
吸気口は、ドアの底面に形成されてもよい。
【００４１】
さらに、吸気口は、ドアパネルの前面に形成されてもよい。
【００４２】
さらに、ドアアセンブリの下部部分とベースとの間の空間として画定される凹部部分が設けられてもよく、吸気口が凹部部分の上方に配置されてもよい。したがって、凹部部分を流れた空気は、吸気口からドア内に引き込まれ得る。
【００４３】
吸気口を通過した空気は、ドアのエアフィルタ台座部分に着座したエアフィルタを通過してもよい。エアフィルタを通過した空気は、加湿フィルタを含む加湿装置を通過してもよい。
【００４４】
ドアは、エアフィルタ台座部分および水槽台座部分が前後方向に延在するように構成されてもよい。
【００４５】
水槽台座部分は、エアフィルタ台座部分よりも凹んでいるため、水槽の設置位置を下げることができる。
【００４６】
エアフィルタは、ドアアセンブリで支持されてもよい。
【００４７】
エアフィルタの上部部分は、エアフィルタの取り付けと取り外しを容易にするために斜め前方に配置されている。したがって、エアフィルタアセンブリの上部部分は前方に傾斜するように配置される。
【００４８】
ドアには、エアフィルタの取り付けをガイドするガイド構造が設けられている。したがって、エアフィルタを正しい位置に取り付け、取り外すことが容易になる。エアフィルタの揺れを防ぐこともできる。例えば、ドア側面部分には、エアフィルタの装着突起に接触するガイドリブが設けられ、ドアの上面部分には、エアフィルタの挿入突起が結合される装着溝が設けられている。
【００４９】
遠心ファンが加湿装置の出口側に取り付けられている。
【００５０】
送風ファンは、加湿装置の後側に取り付けられ、送風ファンを通過した空気は、上部パネルの後方上部部分を通過することができる。
【００５１】
キャビネットは、複数のパネルアセンブリとベースから形成されてもよい。
【００５２】
ベースは、第１のベースと、第１のベースの後側から上方に延在するベース接続部分と、ベース接続部分から後方に延在する第２のベースと、を含んでもよい。
【００５３】
パネルアセンブリは、ベースの両側から上方に延在するサイドパネルと、サイドパネルの上側に配置された上部パネルと、を含んでもよい。
【００５４】
ドアの外観表面を形成するドアパネルは、パネルアセンブリの前に取り外し可能に設けられてもよい。ドアは、ドアパネルに結合されてもよい。そこでは、ドアは第２のベースに支持され、パネルアセンブリの内側部分から取り出される。
【００５５】
別の観点では、本発明の実施形態による加湿空気清浄機は、加湿空気清浄機の外観が室内生活に使用される家具との一体感を維持できるように家具形状に形成することができる。したがって、キャビネットおよびキャビネットに取り外し可能に取り付けられたドアアセンブリの外観は、木材で形成されてもよい。
【００５６】
キャビネットは、前方に開いて基本本体を形成する本体フレーム、本体フレームの両側面に結合されたサイドパネル、およびサイドパネルの上方から２つのサイドパネルを接続する上部パネルを含んでもよい。
【００５７】
本体フレームは、前面の開口部を画定するバーを含んでもよい。
【００５８】
ドアアセンブリは、本体フレームの開放方向に引き出されるように取り付けられた引き出しを含んでもよい。
【００５９】
ドアアセンブリは、引き出しの前面の外観を形成するドアパネルをさらに含んでもよい。ドアパネルは、引き出しの前面に結合されてもよい。
【００６０】
ドアパネル、２つのサイドパネル、および上部パネルの少なくとも１つは、木材で形成されてもよい。したがって、加湿空気清浄機を室内用家具の一種として認識できるように、均一な美的外観を提供することができる。
【００６１】
木材で形成された加湿空気清浄機の一実施形態では、木材の変形、破損などを防ぐために、複数の溝が形成されてもよい。一例として、ドアパネル、サイドパネル、および上部パネルのうちの少なくとも１つは、その内面に直線状に形成された木製の溝を有するように形成されてもよい。
【００６２】
さらに、木材からなる加湿空気清浄機の実施形態では、耐久性を向上させるための金属を挿入することができる。一例として、ドアパネル、サイドパネル、および上部パネルのうちの少なくとも１つは、その内面に挿入された金属補強フレームを有してもよい。
【００６３】
加湿空気清浄機の外観は、一体感を形成するように提供されてもよい。一例として、ドアパネルは、上部パネルの前端部と２つのサイドパネルの前端部とによって画定される領域に対応するサイズを有してもよい。
【００６４】
さらに、ドアパネルの両側端部は、２つのサイドパネルの内面に接触することができる。したがって、ドアアセンブリは、キャビネットに引き込まれた状態で完全に一体に形成することができる。
【００６５】
別の観点では、本発明の実施形態による加湿空気清浄機は、キャビネット内に取り付けられた引き出し型ドアアセンブリとして設けられたドアアセンブリを含んでもよい。言い換えると、ドアアセンブリは、キャビネットに取り外し可能に設けられ、空気の流路を形成してもよい。
【００６６】
したがって、ドアアセンブリがキャビネットに完全に引き込まれる場合、ドアアセンブリおよびキャビネットの開放部分は、入ってくる空気が意図した流路をたどることができるようにシール構造を提供することができる。
【００６７】
本発明の加湿空気清浄機は、空気清浄機を通過する空気流に対して二重シール構造を提供することができる。
【００６８】
加湿空気清浄機は、第１の側面、第２の側面、および２つの側面の前端部に結合されて前面開口部を画定するバーを有する本体フレームを含んでもよい。さらに、加湿空気清浄機は、第１の側面に結合され、バーの前方に延在する第１のサイドパネルと、第２の側面に結合され、バーの前方に延在する第２のサイドパネルと、を含んでもよい。
【００６９】
また、バーの前面ならびに第１のサイドパネルおよび第２のサイドパネルの側面と接触または密着するシーリングフレームが設けられている。前面開口部を覆うためのドアパネルは、シーリングフレームの前面に結合される。
【００７０】
さらに、前面開口部から引き出されるように設けられた引き出しがドアパネルに結合されている。
【００７１】
引き出しの底面には、空気を吸引するための吸入ポート（または吸気口）が形成されてもよい。エアフィルタアセンブリは、吸入ポートの後側に位置するように引き出しに取り付けられている。
【００７２】
シーリングフレームは、ドアパネルの上端部の下方に配置されてもよい。
【００７３】
ドアパネルは、シーリングフレームの周囲よりも大きい周囲を有してもよい。
【００７４】
シーリングフレームの下端部分は、吸気口の下方または吸気口の前領域の両端に配置されてもよい。シーリングフレームの下端部分は、切開空間を形成してもよい。
【００７５】
シーリングフレームは、その両側の下端部から互いに向かい合うように延在する第１の端部部分および第２の端部部分を含んでもよい。第１の端部部分と第２の端部部分との間の空間は、吸気口と連通してもよい。
【００７６】
第１の端部部分および第２の端部部分は、互いに向かい合う方向に互いに離間してもよい。
【００７７】
本体フレームのバーは、シーリングフレームに対応する形状に形成されてもよい。
【００７８】
本体フレームのバーの下端部分とシーリングフレームの下端部分によって形成される切開空間は、吸気口の一部を形成してもよい。
【００７９】
シーリングフレームは、シーリングフレームに挿入されたシーリング部材をさらに含んでもよい。
【００８０】
引き出しが本体フレームに引き込まれる場合、シーリングフレームの後面をバーの前面に密着させることができる。引き出しが本体フレームに引き込まれる場合、シーリングフレームの側面は、第１のサイドパネルまたは第２のサイドパネルに密着してもよい。
【００８１】
さらに、引き出しが本体フレームに引き込まれる場合、シーリングフレームの外面の少なくとも２つの表面は、前面開口部をシールするように、バー、第１のサイドパネル、および第２のサイドパネルのうちの少なくとも１つと密着してもよい。
【００８２】
さらに、第１のサイドパネルは第１の側面の外側に結合されてもよく、第２のサイドパネルは第２の側面の外側に結合されてもよい。
【００８３】
さらに、スライドレールが本体フレームの両下端部に取り付けられてもよい。スライドレールと結合するためのレールガイドが引き出しの両下端部に取り付けられてもよい。
【００８４】
スライドレールは、本体フレームのバーの下端部分の上方に配置されてもよい。
【００８５】
本体フレームのバーの下端部とシーリングフレームの下端部分は、密着されるか、または前後方向に互いに離間されてもよい。
【００８６】
ドアパネルの上端部は、ディスプレイ溝を形成するために、上部パネルの前端部から前方に離間されてもよい。入力ユニットを有するディスプレイがディスプレイ溝に配置されてもよい。
【００８７】
別の観点では、引き出し可能または引き込み可能に設けられたドアと、ドアに取り付けられたドアパネルと、がキャビネットに着脱可能に設けられ得る、本発明の実施形態による加湿空気清浄機が提供される。
【００８８】
本発明の実施形態による加湿空気清浄機は、１つの開放された表面を有するキャビネットと、キャビネットから引き出されるか、キャビネットに引き込まれる（押し込まれる）ように、キャビネットの１つの開放された表面に結合された引き出しと、キャビネットの１つの開放された表面に配置されたドアパネルと、を含む。
【００８９】
本発明の一実施形態による加湿空気清浄機は、引き出しの底面に形成された吸気口と、引き出しに収容されて吸気口の後側に取り付けられたエアフィルタおよび加湿フィルタと、をさらに含んでもよい。
【００９０】
ドアパネルは、引き出しを引き出す操作と共にキャビネットから移動可能であってもよい。
【００９１】
キャビネットは多角形に形成されてもよく、ドアパネルはキャビネットの１つの表面を形成するように配置されてもよい。
【００９２】
ドアパネルは、キャビネットに取り外し可能に接続されてもよい。
【００９３】
加湿フィルタは、エアフィルタの後側に配置されてもよい。
【００９４】
引き出しは、エアフィルタの後側に水を貯蔵するための貯水空間を形成し、加湿フィルタは貯水空間に配置されてもよい。
【００９５】
別の観点では、本発明の実施形態による加湿空気清浄機は、下部部分から空気を吸い込んで空気清浄および空気加湿を行った後に、上部部分に空気を排出することができる。したがって、加湿空気清浄機は、水が使用される空気加湿領域と、水が防止される空気清浄領域とを仕切るための構造を提供することができる。
【００９６】
本発明の実施形態による加湿空気清浄機は、前方に開放されたキャビネットと、キャビネットから引き出されるように取り付けられ、エアフィルタ、水槽、および加湿フィルタを含み、下部部分のベース面を形成する底面を有する引き出しと、底面の両側端部から上方に延在する両側面と、両側面の前端部を接続し、両側面よりも高くなるように上方に延在する前面と、を含む。
【００９７】
さらに、引き出しは、両側面の後端部を接続する後面をさらに含んでもよい。
【００９８】
引き出しの底面は、水槽が着座する水槽台座面と、水槽台座面の前に配置され、エアフィルタを着座させるように水槽台座面よりも高い位置まで延在するエアフィルタ台座面と、エアフィルタ台座面と前面との間の開口部として画定される吸気口と、を含んでもよい。
【００９９】
水槽は、加湿フィルタに提供される水を貯蔵するための貯水空間を形成してもよい。
【０１００】
吸気口の左右方向の幅Ｗ１は、前後方向の幅Ｗ２よりも大きくてもよい。
【０１０１】
左右方向の幅Ｗ１は、エアフィルタアセンブリの横方向の幅に対応する大きさを有するように設けられてもよい。
【０１０２】
吸気口は、エアフィルタの台座面の前端部から引き出しの前面の後端部まで切り取られた空間として形成されてもよい。
【０１０３】
引き出しは、エアフィルタ台座面の後端部から上方に延在する後部支持ジョーをさらに含んでもよい。
【０１０４】
後部支持ジョーは、水槽台座面から所定の高さＨ４だけ上方に延在してもよい。そこで、所定の高さＨ４は、水槽の最下端部から最上端部までの垂直距離よりも大きく設定されてもよい。後部支持ジョーは、エアフィルタを後側から支持することができる。
【０１０５】
別の観点では、加湿空気清浄機は、空気の吸入面積を最大化できる構造を提供することができる。さらに、加湿空気清浄機は、ユーザがメンテナンスを必要とする構成を容易に分離して取り付けることができる構成を提供することができる。
【０１０６】
そのような管理を必要とする構成は、水槽、エアフィルタアセンブリ、水容器、加湿フィルタアセンブリを含んでもよい。
【０１０７】
エアフィルタアセンブリは、引き出しの内側に斜めに配置されてもよい。
【０１０８】
さらに、加湿フィルタアセンブリの加湿フィルタは、水槽の内側に斜めに配置されてもよい。
【０１０９】
本発明の実施形態による加湿空気清浄機は、開放された前面を有するキャビネットと、キャビネットから引き出されるかキャビネットに引き込まれるようにキャビネットに結合されたドアアセンブリと、を含み、ドアアセンブリは、底面を構成し、空気が吸い込まれる吸気口を有するドア底面部分と、吸気口の前端部を画定し、上方に延在するドア前面部分と、吸入ポートの上方に傾斜するように配置されたエアフィルタアセンブリと、を含む。
【０１１０】
さらに、エアフィルタアセンブリは、吸気口の後端部に位置する下端部と、ドア前面部分の上端部に位置する上端部と、を有してもよい。
【０１１１】
ここで、エアフィルタアセンブリの下端部から上端部までの長さは、ドア前面部分の上端部から吸気口の前端部までの長さおよび／または吸気口の前端部からエアフィルタアセンブリの下端部までの長さよりも長い。
【０１１２】
言い換えると、エアフィルタアセンブリは、吸気口の前端部から後端部までの第１の長さおよび吸気口の前端部からドア前面部分の上端部までの第２の長さのいずれか１つよりも長く形成され得る、下端部から上端部までの長さを有してもよい。
【０１１３】
さらに、ドアアセンブリは、ドア前面部分の両側端部から後方に延在し、ドア前面部分の上端部からドア底面部分に向かって斜め後方に延在するフィルタガイドを有するドア側面部分と、フィルタガイドから両方向に延在し、エアフィルタアセンブリを前方向に支持するフィルタ支持部と、を含んでもよい。
【０１１４】
フィルタ支持部分は、ベースの長さである第１の長さＨ１と、ドア前面部分に接触する縁部の長さである第２の長さＨ２と、ベースと縁部を接続する斜辺（または縁部）である第３の長さＨ３と、を画定してもよく、第３の長さＨ３は、第２の長さＨ２および第１の長さＨ１よりも長い。
【０１１５】
フィルタガイドは、所定の角度α１だけ斜め後方に延在しており、エアフィルタアセンブリの両側面を支持することができる。
【０１１６】
フィルタ支持部分は、エアフィルタアセンブリの前面の両側部分を支持してもよい。
【０１１７】
フィルタ支持部分は、エアフィルタアセンブリの垂直長さに対応するように延在してもよい。
【０１１８】
エアフィルタアセンブリの垂直方向の長さは、第３の長さＨ３に対応してもよい。
【０１１９】
フィルタ支持部分の斜辺は、上端部から下端部に向かって所定の角度α１だけ後方に傾斜することができる。所定の角度α１は鋭角であってもよい。
【０１２０】
第１の長さＨ１は、吸気口の幅に対応してもよい。
【０１２１】
エアフィルタアセンブリは、エアフィルタが結合されるフィルタケースを含んでもよい。
【０１２２】
フィルタケースの上面は、フィルタケースの下面の後端部に向かって傾斜角βだけ下向きに傾斜した傾斜面として形成されてもよい。
【０１２３】
フィルタケースは、傾斜した側面を有する長方形状に形成されてもよい。
【０１２４】
フィルタケースは、フィルタケースの上面と側面によって形成される縁部の延在する方向に引かれた仮想直線である第１の平行線Ｐ１と、フィルタケースの下面と側面によって形成される縁部の前端部から第１の平行線Ｐ１に平行に引かれた仮想直線である第２の平行線Ｐ２と、フィルタケースの下面と側面によって形成される縁部の延在する方向に沿って引かれた仮想的な直線である傾斜線Ｐ３と、を画定してもよい。ここで、傾斜線Ｐ３は、第２の平行線Ｐ２から所定の傾斜角βを有してもよい。
【０１２５】
フィルタケースの上面は、フィルタケースの下面に対して下方に延在し、傾斜角βを有してもよい。
【０１２６】
フィルタケースの下面は、フィルタケースの上面に対して上方に延在し、傾斜角βを有してもよい。
【０１２７】
ドア底面部は、エアフィルタアセンブリの底面が着座するエアフィルタ台座部分を含んでもよく、エアフィルタ台座部分は、後端部に向かって上方に傾斜してもよい。
【０１２８】
エアフィルタ台座部分は、傾斜角βを有するように延在してもよい。
【０１２９】
フィルタ支持部分とエアフィルタ台座部分は、それらの側端部で「Ｖ」形状を有するように接続されてもよい。エアフィルタアセンブリの側面下端部は、フィルタ支持部分とフィルタ台座部分が互いに接続される点に取り付けることができる。
【０１３０】
別の観点では、本発明の実施形態による加湿空気清浄機は、キャビネットから引き出されたドアアセンブリが最大限まで引き出された場合に、キャビネットの内側部分がユーザの視線に露出しないように提供することができる。同時に、加湿空気清浄機は、上記の管理が必要な構成が、ユーザが容易に操作できる空間に配置されるように提供することができる。
【０１３１】
本発明の実施形態による加湿空気清浄機は、前面に開口部が形成された本体フレームと、本体フレームから引き出され、エアフィルタアセンブリおよびエアフィルタアセンブリの後ろに配置された加湿フィルタアセンブリが挿入される引き出しと、引き出しの両側面に結合されたレールガイドと、本体フレームの両側の下部部分に結合され、レールガイドの前後の動きをガイドするスライドレールと、を含む。
【０１３２】
ここで、引き出しが最大限に引き出されている場合、加湿フィルタアセンブリは、本体フレームの前端部によって形成される平面上に配置されている。
【０１３３】
引き出しの両側面は、エアフィルタアセンブリと加湿フィルタアセンブリを収容する内側プレートと、内側プレートの外側から離間した外側プレートと、を含んでもよい。レールガイドは、内側プレートと外側プレートとの間の空間に配置される。
【０１３４】
引き出しの両側面は、内側プレートから外側プレートまで延在する複数の補強リブをさらに含んでもよい。
【０１３５】
スライドレールまたはレールガイドには、引き出しをキャビネットから引き出すことができる距離を制限するためのストッパを設けてもよい。
【０１３６】
本体フレームは、その前端部に結合されるバーを含んでもよく、バーの下端部には、スライドレールまたはレールガイドがキャビネットから引き出される距離を制限するために、上方に突出するレール保持ジョーが設けられてもよい。
【０１３７】
レール保持ジョーは、スライドレールまたはレールガイドの進行方向に対して垂直に突出してもよい。
【０１３８】
本体フレームは、本体フレームの両側の下部部分に配置され、スライドレールを囲むレールカバーをさらに含んでもよい。
【０１３９】
レール保持ジョーは、レールカバーの前端部から前方に離間されてもよい。
【図面の簡単な説明】
【０１４０】
【図１】本発明の一実施形態による加湿空気清浄機の構成を示す斜視図である。
【図２】本発明の一実施形態による加湿空気清浄機のドアが開いた状態を示す図である。
【図３】本発明の一実施形態による加湿空気清浄機の構成を示す分解斜視図である。
【図４】本発明の一実施形態による加湿空気清浄機の一部の構成を示す分解斜視図である。
【図５】本発明の一実施形態によるドアパネルの構成を示す図である。
【図６】本発明の一実施形態による水容器の底面の構成を示す図である。
【図７】図１の線ＶＩ−ＶＩ’に沿った断面図である。
【図８】本発明の一実施形態による、エアフィルタと加湿フィルタがドアに配置された状態を示す図である。
【図９】本発明の一実施形態によるドアに配置されたエアフィルタが分離された状態を示す図である。
【図１０】本発明の一実施形態によるドアの構成を示す斜視図である。
【図１１】本発明の一実施形態によるエアフィルタの装着をガイドするための構成を示す図である。
【図１２】本発明の一実施形態によるドアの構成を示す平面図である。
【図１３】本発明の一実施形態によるキャビネットの内部構造を示す図である。
【図１４】本発明の一実施形態によるエアフィルタアセンブリの構成を示す分解図である。
【図１５】本発明の一実施形態による加湿空気清浄機内の空気の流れを示す断面図である。
【図１６】本発明の別の実施形態による加湿空気清浄機の構成を示す斜視図である。
【図１７】本発明の別の実施形態による加湿空気清浄機のドアおよびエアフィルタの構成を示す分解斜視図である。
【発明を実施するための形態】
【０１４１】
次に、本開示の実施形態を詳細に参照し、その例を添付の図面に示す。
【０１４２】
以下の好ましい実施形態の詳細な説明では、本明細書の一部を形成し、本発明を実施することができる特定の好ましい実施形態を例として示す添付図面を参照する。これらの実施形態は、当業者が本発明を実施できるように十分詳細に記載されており、また、他の実施形態を利用することができること、ならびに本発明の趣旨または範囲から逸脱することなく、論理構造的、機械的、電気的、および化学的変更を行うことができることを理解されたい。当業者が本発明を実施することを可能にするために必要ではない詳細を回避するために、説明は、当業者に知られている特定の情報を省略する場合がある。したがって、以下の詳細な説明は限定的な意味で解釈されるべきではない。
【０１４３】
また、実施形態の説明では、本発明の構成要素を説明するときに、第１、第２、Ａ、Ｂ、（ａ）、（ｂ）などの用語を本明細書で使用する場合がある。これらの各用語は、対応する構成要素の本質、順序、またはシーケンスを定義するために使用されるのではなく、対応する構成要素を他の構成要素と区別するためにのみ使用される。
【０１４４】
図１は、本発明の一実施形態による加湿空気清浄機の構成を示す斜視図であり、図２は、本発明の一実施形態による加湿空気清浄機のドアを示す図である。
【０１４５】
図１および図２を参照すると、本発明の一実施形態による加湿空気清浄機１０は、外観を形成するキャビネット１００と、キャビネットから引き出せるようにキャビネット１００に結合されたドアアセンブリ２００と、を含む。
【０１４６】
キャビネット１００は、複数のパネルから構成されるパネルアセンブリを含む。
【０１４７】
ドアアセンブリ２００は、パネルアセンブリによって形成された内部空間から取り出すことができる。例えば、ユーザは、ドアアセンブリ２００をキャビネット１００から引き出すことができる。ドアアセンブリ２００は、ユーザによってドアアセンブリ２００に加えられる外力により、キャビネット１００の内部から外側方向に取り出されてもよい。
【０１４８】
もちろん、ユーザは、ドアアセンブリ２００と反対方向に外力を加えることにより、ドアアセンブリ２００をキャビネット１００内に戻すことができる。
【０１４９】
複数のパネルは、下側の第１のベース１０１と、第１のベース１０１の両側に設けられ上方に延在する２つのサイドパネル１０３と、２つのサイドパネル１０３の上側に結合された上部パネル１０５と、２つのサイドパネル１０３の後側に結合された後部パネル１０７と、を含む。
【０１５０】
第１のベース１０１、２つのサイドパネル１０３、上部パネル１０５、および後部パネル１０７により、キャビネット１００は、前方に開放された直方体の形状を有することができる。
【０１５１】
さらに、両側のサイドパネル１０３は、キャビネット１００の一方の側面を形成する第１のサイドパネルと、キャビネット１００の他方の側面を形成する第２のサイドパネルと、を含んでもよい。
【０１５２】
複数のパネルは、木材で作られてもよい。したがって、加湿空気清浄機１は、家具の美的外観を有することができる。言い換えると、外観を向上させることができる。
【０１５３】
エアフィルタアセンブリ２８０、加湿フィルタアセンブリ３００、および送風ファン４８０（図７を参照）は、キャビネット１００の内部空間に配置されてもよい。
【０１５４】
ドアアセンブリ２００は、キャビネット１００の前側に引き出されることにより開くことができ、またはキャビネット１００の後側に向かってキャビネット内に引き込まれることにより閉じることができる。ドアアセンブリ２００は、加湿空気清浄機１０の前面部分を構成するドアパネル２１０を含む。ドアパネル２１０は、「フロントパネル」と呼ばれる場合がある。
【０１５５】
ドアパネル２１０は、キャビネット１００の１つの面に配置されてもよい。例えば、ドアパネル２１０は、キャビネット１００の前面開口部に配置されてもよい。したがって、ドアパネル２１０は、キャビネット１００の前面を形成してもよい。したがって、ドアパネル２１０およびキャビネット１００は、ユーザに一体感を提供することができる。
【０１５６】
ドアパネル２１０は、キャビネット１００から移動可能であってもよい。例えば、ドアパネル２１０は、キャビネット１００の前面から引き出された引き出し２２０によってキャビネット１００から離間されてもよい。
【０１５７】
ドアパネル２１０は、正方形プレートの形状を有してもよい。ドアアセンブリ２００が閉じた状態では、ドアパネル２１０は、加湿空気清浄機１０の外観の前面を形成する。さらに、ドアパネル２１０は、家具と同様の美的外観を有することができるように、木材で作られる。
【０１５８】
ドアパネル２１０の下端部と第１のベース１０１との間には、凹部部分３０が形成され、後方に凹んだ空間を形成されてもよい。
【０１５９】
凹部部分３０には、キャビネット１００内に空気を吸い込むための吸気口２２５が形成されてもよい。
【０１６０】
以下では、吸気口２２５を取入口２２５と呼ぶ場合がある。例えば、吸気口２２５は、引き出し２２０の底面に形成されてもよい。
【０１６１】
凹部部分３０は、第１のベース１０１とドアパネル２１０の下方に形成された吸気口２２５との間の空間として画定されてもよい。
【０１６２】
さらに、凹部部分３０は、ドアパネル２１０の下縁部と、下縁部より下に位置する第１のベース１０１と、で画定される開口部がベース接続部分１１５まで後方に延在する空間として画定されてもよい。
【０１６３】
キャビネット１００の上部パネル１０５には、浄化された空気が排出される排出部分１０９が形成される。排出部分１０９は、上部パネル１０５の後側に位置してもよい。
【０１６４】
排出部分１０９は、上部パネル１０５と共に平坦面に形成されてもよい。例えば、排出部分１０９の上端部は、上部パネル１０５の上端部と同じ高さに形成されてもよい。
【０１６５】
ドアアセンブリ２００は、ドアパネル２１０の後面から後方に延在する引き出し２２０をさらに含む。
【０１６６】
加湿空気清浄機１０の洗浄部品が引き出し２２０に取り付けられている。洗浄部品は、エアフィルタアセンブリ２８０および加湿装置を含んでもよい。加湿装置は、加湿フィルタアセンブリ３００、水槽２６０、および水容器２７０を含んでもよい。
【０１６７】
ドアアセンブリ２００を前側に引き出してキャビネット１００の前面を開くと、引き出し２２０に配置されたエアフィルタアセンブリ２８０、加湿フィルタアセンブリ３００、および水容器２７０を一緒に前方に引き出すことができる。したがって、ユーザは、エアフィルタアセンブリ２８０、加湿フィルタアセンブリ３００、および水容器２７０に容易にアクセスすることができる。
【０１６８】
引き出し２２０は、キャビネット１００から引き出されるか、キャビネット内に引き戻されるように、キャビネット１００に結合されてもよい。したがって、引き出し２２０は、「ドア」または「収容部分」と呼ばれることがある。
【０１６９】
ドアアセンブリ２００は、ドアアセンブリ２００をキャビネット１００から引き出す、またはキャビネット１００内に戻す操作をガイドするレールガイド２３０をさらに含む。レールガイド２３０は、引き出し２２０の下部部分の両側に結合されてもよい。
【０１７０】
言い換えると、ドアアセンブリ２００は、キャビネット１００から前後方向に移動可能に設けられている。したがって、ドアアセンブリ２００は、ドアアセンブリ２００がキャビネット内に引き込まれた状態でキャビネット１００の前端部分に密着するように設けられてもよい。
【０１７１】
詳細には、ドアアセンブリ２００は、キャビネット１００の開いた前面をシールするためのシーリング手段を含んでもよい。シーリング手段は、後述するシーリングフレーム２１１とシーリング部材２１２とを含んでもよい。
【０１７２】
シーリング手段は、キャビネット１００とドアアセンブリ２００との間に形成される微小な隙間をシールすることができる。したがって、外気が、凹部部分３０または吸気口２２５に集中的に流入することができる。
【０１７３】
上部パネル１０５の前面には、空気清浄機の動作情報が表示されるディスプレイ１０８ａが配置されている。ディスプレイ１０８ａは、左右方向に長く延在してもよく、後述するディスプレイモジュール４５２の前部分の上面に設けられてもよい。さらに、ディスプレイ１０８ａには、ユーザが入力可能な入力ユニット１０８ｂが設けられてもよい。
【０１７４】
入力ユニット１０８ｂを複数設けて、加湿空気清浄機１０の動作モードや動作機能を設定してもよい。例えば、入力ユニット１０８ｂは、「電力入力ユニット」、「クリーン強度」、「高速クリーン」、「加湿クリーン」、「スリープモード」、「空気滅菌」、「モード照明」、および「ロック」などの設定モード（または機能）を実行するように、複数の入力ユニットを含んでもよい。
【０１７５】
ディスプレイ１０８ａは、上部パネル１０５とドア２００との間に配置されてもよい。詳細には、キャビネット１００の上部部分には、下向きに凹んだディスプレイ溝１０８が形成される。例えば、ドアパネル２１０の上端部は、上部パネル１０５の前端部から前方に離間されてもよい。さらに、ディスプレイ溝１０８は、ドアパネル２１０と上部パネル１０５との間に形成される空間として画定されてもよい。
【０１７６】
したがって、ディスプレイ１０８ａは、ディスプレイ溝１０８を介して外部に露出され、ユーザが動作情報を確認したり、入力ユニット１０８ｂを操作したりすることができる。
【０１７７】
上部パネル１０５は、ユーザが上部パネル１０５を貯蔵空間として利用できるように平らに構成される。商品、食品などが貯蔵空間に置かれる。そのため、ユーザが視覚的に確認する必要があるディスプレイを上部パネルに配置するのは容易ではない。ディスプレイが上部パネルの中央部分に配置されている場合、ディスプレイは物体または食物によって遮られる可能性がある。
【０１７８】
本実施形態では、このような問題を防止するために、ディスプレイ１０８ａを上部パネル１０５の前面とドアの後面との間に配置してもよい。次に、ドア２００が前方に引き出され、ディスプレイ１０８ａの前面が外部に露出され得る。
【０１７９】
図３は、本発明の一実施形態による加湿空気清浄機の構成を示す分解斜視図である。図４は、本発明の一実施形態による加湿空気清浄機の一部の構成を示す分解斜視図である。図５は、本発明の一実施形態によるドアパネルの構成を示す図である。図６は、本発明の一実施形態による水容器の底面の構成を示す図である。図７は、図１の線ＶＩ−ＶＩ’に沿った断面図である。
【０１８０】
図３〜図７を参照すると、本発明の一実施形態による加湿空気清浄機１０は、空気をフィルタ処理するためのエアフィルタアセンブリ２８０、空気を加湿するための加湿フィルタアセンブリ３００、および空気の流れを生成するための送風ファン４８０を含む。ファンモータ４８５が、送風ファン４８０に結合されている。
【０１８１】
詳細には、キャビネット１００は、上述の構成要素が配置される空間部分１１２を形成する本体フレーム１１０を含む。
【０１８２】
本体フレーム１１０は、前面、後面、上面が開放された六面体形状を有してもよい。詳細には、本体フレーム１１０の前面は開放されており、開放された前面はドアアセンブリ２００によって遮蔽され得る。さらに、本体フレーム１１０の後面は開放されており、開放された後面は、ファンハウジング４１０およびハウジングカバー４３０によって遮蔽され得る。さらに、本体フレーム１１０の上面は開放されており、開放された上面は電気ユニット４５０によって遮蔽されてもよい。
【０１８３】
第１のベース１０１は、本体フレーム１１０の構成部分として理解することができる。
【０１８４】
２つのサイドパネル１０３は、本体フレーム１１０の両側に結合されている。言い換えると、本体フレーム１１０は、一方の側面である第１の側面と、他方の側面である第２の側面と、を含んでもよい。
【０１８５】
２つのサイドパネル１０３のうちの１つのサイドパネル１０３は、第１の側面に結合されてもよい。さらに、２つのサイドパネル１０３のうちの他方のサイドパネル１０３は、第２の側面に結合されてもよい。そこでは、第１の側面に結合されたサイドパネル１０３を第１のサイドパネル１０３と呼び、第２の側面に結合されたサイドパネル１０３を第２のサイドパネル１０３と呼ぶ。
【０１８６】
上部パネル１０５は電気ユニット４５０の上側に結合され、後部パネル１０７はハウジングカバー４３０の後側に結合される。
【０１８７】
一方、上述したように、ドアパネル、第１のサイドパネル、第２のサイドパネル、および上部パネルのうちの少なくとも１つは、木材で形成されてもよい。
【０１８８】
したがって、複数のパネル１０３、１０５、１０７は、木材の変形を防ぎ、耐久性を高めるために、それぞれのパネル１０３、１０５、１０７の内面に切り込むことによって形成された、幅と奥行きが比較的小さい溝２１０ｂと、パネル１０３、１０５、１０７の内面に挿入された複数の補強フレーム２１５と、を含んでもよい。
【０１８９】
木製の溝２１０ｂは、パネルの延長方向に沿って長くてもよく、複数の溝に形成されてもよい。例えば、木製の溝２１０ｂは、複数のパネル１０３、１０５、１０７のうちの少なくとも１つに、内面の長手方向に直線状に刻まれてもよい。
【０１９０】
補強フレーム２１５は、複数のパネルに結合する構成に固定するための孔２１５ａを有してもよい。例えば、引き出しの前面２２１に締結される締結部材を、ドアパネル２１０に挿入された補強フレーム２１５の孔２１５ａに挿入してもよい。さらに、補強フレーム２１５は、金属材料で形成されてもよい。
【０１９１】
本体フレーム１１０の両側面に結合された第１および第２のサイドパネル１０３は、本体フレーム１１０の前面開口部を画定するバー１１０ａの前方に延在してもよい。
【０１９２】
本体フレームのバー１１０ａの前方に位置する第１および第２のサイドパネル１０３の各々の内面は、シーリングフレーム２１１の外面と密着してもよい。したがって、シーリングフレーム２１１の少なくとも２つの外面は、キャビネット１００に密着して、ドアアセンブリ２００に引き込まれた状態において吸気口２２５を除いた二重シーリング構造を提供することができる。
【０１９３】
本体フレーム１１０のバー１１０ａは、本体フレーム１１０の前面開口部を画定するように長方形のフレームとして形成されてもよい。
【０１９４】
しかし、ドアアセンブリ２００がキャビネット１００から引き出されたりキャビネット１００内に戻されたりするときに干渉が生じるのを避けるために、本体フレームのバー１１０ａを所定の長さだけ切断して本体フレームとドアアセンブリとの間に空間を形成してもよい。
【０１９５】
ここで、所定の長さは、後述するシーリングフレーム２１１の下部ギャップＤ１に対応する長さと定義してもよい。例えば、本体フレームのバー１１０ａは、開放されたベースを有する長方形で提供されてもよい。
【０１９６】
本体フレーム１１０のバー１１０ａは、本体フレーム１１０の両側面の前端部に沿って延在してもよい。バー１１０ａは、ディスプレイモジュール４５２の下側から延在して、本体フレーム１１０の両側面の上端部を接続してもよい。
【０１９７】
本体フレームのバー１１０ａの下端部分１１０ｂは、本体フレーム１１０の両側面の前端部から互いに向かい合う方向に屈曲してもよい。そこで、バー１１０ａの下端部分１１０ｂは、引き出し２２０と干渉しないように切断されてもよい。
【０１９８】
言い換えると、本体フレーム１１０の両側面からそれぞれ延在する本体フレームのバー１１０ａの下端部分１１０ｂは、互いに向かい合う方向に所定の長さだけ互いに離間して延在してもよい。
【０１９９】
さらに、ドアアセンブリ２００が引き込まれたときに、本体フレームのバー１１０ａとシーリング手段とが密着するように設けられている。したがって、本体フレームのバー１１０ａとシーリング手段とを互いに対応するように形成することができる。
【０２００】
その結果、ドアパネル２１０の後側に設けられたシーリング手段は、バー１１０ａと、バー１１０ａから前方に突出するように延在する第１および第２のサイドパネル１０３の表面と、密着することができる。
【０２０１】
したがって、シーリング手段は、キャビネット１００とドアアセンブリ２００との間の隙間を２つの垂直面でシールすることができる。したがって、隙間への空気の流入をより効果的に遮断することができる。
【０２０２】
本体フレーム１１０の両側面には、複数の補強リブ１１１ａ、１１１ｂが設けられてもよい。補強リブ１１１ａ、１１１ｂは、横方向に延在する複数の第１の補強リブ１１１ａと、第１の補強リブ１１１ａと交差する方向に延在する複数の第２の補強リブ１１１ｂと、を含む。例えば、第２の補強リブ１１１ｂは、長手方向に延在してもよい。
【０２０３】
さらに、本体フレーム１１０の両側面には、電気ユニット４５０から排出された流体を下方に導くための排出流路１１１ｃが形成されてもよい。排出流路１１１ｃは、第１の補強リブ１１１ａと第２の補強リブ１１１ｂとの間に形成された流路として理解することができる。
【０２０４】
ドアアセンブリ２００は、前面の外観を形成するドアパネル２１０と、ドアパネル２１０の後側に延在する引き出し２２０と、を含む。
【０２０５】
ドアパネル２１０の横方向の幅は、２つのサイドパネル１０３間の距離よりも小さく設定されてもよい。したがって、ドアパネル２１０は、２つのサイドパネル１０３の間に挿入されて、平坦な表面を形成することができる。これによれば、ドアパネル２１０および２つのサイドパネル１０３は、ユーザに外観の統一感を与えることができる。したがって、ドアパネル２１０および２つのサイドパネル１０３は視覚的にきれいであり、家具としての認識に適した外観を提供することができる。
【０２０６】
ドアパネル２１０は、ユーザが保持できるように、ドアパネル２１０の後面の上部部分に凹んで形成されたハンドル溝２１０ａを含んでもよい。したがって、ユーザは、ディスプレイ溝１０８に手を入れることにより、ハンドル溝２１０ａを通して手を引っ張りながらドアアセンブリ２００を引き出すことができる。
【０２０７】
ドアパネル２１０は、引き出し２２０の前面との結合をガイドするためのパネルフレーム２１８をさらに含んでもよい。
【０２０８】
パネルフレーム２１８は、ドアパネル２１０の後面に結合されてもよい。パネルフレーム２１８は、後述するシーリングフレーム２１１の内側に位置してもよい。例えば、パネルフレーム２１８は、締結部材によって後述するパネル結合部分２２１ａに結合されてもよい。
【０２０９】
一方、前述したように、ドアアセンブリ２００はシーリング手段をさらに含んでもよい。シーリング手段は、シーリングフレーム２１１およびシーリング部材２１２を含んでもよい。
【０２１０】
詳細には、シーリングフレーム２１１は、ドアパネル２１０の後面に結合されてもよい。シーリングフレーム２１１は、本体フレーム１１０のバー１１０ａに対応するように形成されてもよい。例えば、シーリングフレーム２１１は、開放されたベースを有する長方形の形状を有してもよい。
【０２１１】
言い換えると、シーリングフレーム２１１の下部部分は、所定の長さＤ１だけ切断されてもよい。例えば、シーリングフレーム２１１の下部部分は、吸気口２２５と連通する開口部を形成してもよい。これにより、シーリングフレーム２１１の下端部分２１１ａ、２１１ｂは、互いに向かい合う方向に所定の長さＤ１だけ離間され得る。
【０２１２】
シーリングフレーム２１１の下端部分２１１ａ、２１１ｂは、吸気口２２５の下方、または吸気口２２５の前部部分の両側端部に位置してもよい。詳細には、下端部分２１１ａ、２１１ｂは、バー１１０ａの下端部分１１０ｂと共に吸気口２２５と連通する切開空間（またはシーリングフレームギャップ）を形成してもよい。
【０２１３】
切開空間（または下端部分２１１ａと下端部分２１１ｂとの間のシーリングフレームギャップ）は、吸気口２２５の一部２２５ａと流れ連通している。例えば、下端部分２１１ａ、２１１ｂと下端部分１１０ｂとが互いに密着している場合、切開空間（またはシーリングフレームギャップ）は、吸気口２２５の両前端部を画定してもよい。したがって、ドアパネル２１０の下端部から吸い込まれた空気は、切開空間に集中的に流入することができる。
【０２１４】
具体的には、シーリングフレーム２１１の下端部は、一方の下端部で垂直に曲げられた第１の端部部分２１１ａと、他方の下端部で垂直に曲げられた第２の端部部分２１１ｂと、を含んでもよい。第１の端部部分２１１ａおよび第２の端部部分２１１ｂは、水平方向に延在し、所定の長さＤ１だけ離間してもよい。
【０２１５】
所定の長さＤ１は、シーリングフレーム２１１の下部ギャップＤ１と呼ぶことができる。
【０２１６】
シーリングフレーム２１１の下端部分２１１ａ、２１１ｂは、下部ギャップＤ１だけ互いに離間しているため、第１の端部部分２１１ａと第２の端部部分２１１ｂとの間のシーリングフレームギャップは、吸気口２２５の一部２２５ｐを形成してもよい。
【０２１７】
したがって、ドアアセンブリが本体フレーム１１０内に引き込まれ、シーリングフレーム２１１と本体フレームのバー１１０ａとが互いに接触する場合に、シーリングフレーム２１１の下端部分２１１ａ、２１１ｂ、および本体フレームのバー１１０ａの下端部分１１０ｂは、下向きに切り開かれて吸入ポート２５５の一部２２５ｐを形成し、その結果、空気の取り入れ断面積を広げることができる。
【０２１８】
一方、下部ギャップＤ１は、後述する吸気口２２５の左右方向の幅Ｗ１に対応する長さとして理解することができる。
【０２１９】
シーリングフレーム２１１の外周の長さは、ドアパネル２１０の外周の長さより小さくてもよい。シーリングフレーム２１１と本体フレームのバー１１０ａの外周の長さは同一であってもよい。
【０２２０】
さらに、ドアパネル２１０の周囲長は、キャビネット１００の前面の周囲長より小さくてもよい。ドアパネル２１０の上部縁部は、キャビネット１００の前端部の上部縁部に対応する高さに配置されてもよい。したがって、ドアパネル２１０の下側には、空気の流入を導くための凹状空間または凹部部分３０が形成されている。
【０２２１】
一方、シーリングフレーム２１１の幅Ｄ２は、バー１１０ａから前方に突出した第１および第２のサイドパネル１０３の長さに対応する長さに設定されてもよい。
【０２２２】
したがって、シーリングフレーム２１１は、本体フレームの第１および第２のサイドパネル１０３とバー１１０ａとに密着し、それにより、不必要な流量損失およびノイズを低減する。シーリングフレーム２１１は、空気の取り入れを凹部部分３０または吸気口２２５に集中させてもよい。
【０２２３】
言い換えると、引き出し２２０が本体フレーム１１０内に引き込まれる場合に、本体フレーム１１０の前面開口部を画定するバー１１０ａの前面とシーリングフレーム２１１の前面とが互いに密着することができる。このとき、シーリングフレーム２１１の外面は、第１のサイドパネル１０３または第２のサイドパネル１０３に密着してもよい。
【０２２４】
要するに、シーリングフレーム２１１の外面の少なくとも２つは、前面開口部をシールするために、バー１１０ａ、第１のサイドパネル１０３、および第２のサイドパネルのうちの少なくとも１つと密着することができる。
【０２２５】
したがって、シーリングフレーム２１１と本体フレーム１１０との間の二重シーリングが可能であるので、吸気口２２５に導入された空気の流れは、漏れまたは損失なしにエアフィルタアセンブリ２８０に効果的に導かれ得る。
【０２２６】
一方、シーリングフレーム２１１は、シーリング部材２１２が挿入される中央溝を形成してもよい。中央溝は、シーリングフレーム２１１の後面の中央部分を凹ませることにより形成されてもよい。中央溝は、シーリングフレーム２１１の延在する方向に延在してもよい。
【０２２７】
シーリング部材２１２は、シーリングフレーム２１１の後面に挿入されてもよい。言い換えると、シーリング部材２１２は、シーリングフレーム２１１の中央溝に挿入することができる。
【０２２８】
シーリング部材２１２は、シーリング部材２１２が本体フレームのバー１１０ａに密着するときに、気密性を維持できる材料で形成されてもよい。例えば、シーリング部材２１２はゴムを含んでもよい。
【０２２９】
ドアパネル２１０は、エアフィルタアセンブリ２８０の上部部分に設けられたフィルタカバー２８２ａと密着するカバーフレーム２１１ｃをさらに含んでもよい。
【０２３０】
カバーフレーム２１１ｃは、シーリングフレーム２１１の上側を形成する上部部分に接続されてもよい。例えば、カバーフレーム２１１ｃは、カバーフレーム２１１ｃのシーリングフレーム２１１の上側から丸く下向きに延在してもよい。
【０２３１】
カバーフレーム２１１ｃの後面は、フィルタカバー２８２ａの前面に対応するように形成されてもよい。例えば、フィルタカバー２８２ａの前面が丸い形状に形成される場合には、カバーフレーム２１１ｃの後面は、対応する丸い形状に形成されてもよい。
【０２３２】
したがって、ドアアセンブリ２００がキャビネット１００内に引き込まれると、カバーフレーム２１１ｃがフィルタカバー２８２ａに密着し、吸気口２２５に吸い込まれた空気が損失または漏れがなくエアフィルタ２８５を通過するように導くことができる。
【０２３３】
引き出し２２０の前面２２１は、ドアパネル２１０の後面に結合されてもよい。言い換えると、ドアパネル２１０は、本体フレーム１１０の前面開口部を覆ってもよい。
【０２３４】
一方、引き出しの前面２２１は、引き出しのドア前面部分２２１または「第１の壁」と呼ぶことができる。さらに、ドアパネル２１０とドア前面部分２２１とを合わせて「ドア前面部分」と呼ぶことがある。
【０２３５】
ドア前面部分２２１には、ドアパネル２１０の後面に結合されたパネル結合部分２２１ａが設けられてもよい。例えば、パネル結合部分２２１ａは、ドア前面部分２２１から後方に凹んでおり、締結部材は、パネル結合部分２２１ａがドアパネル２１０のパネルフレーム２１８に締結され得るようにパネル結合部分２２１ａに結合される。
【０２３６】
引き出し２２０は、ドア前面部分２２１の後面からエアフィルタ台座部分２２６の前面まで延在するコネクタ２２１ｂをさらに含んでもよい。
【０２３７】
言い換えると、コネクタ２２１ｂは、ドア前面部分２２１と、吸気口２２５として画定されるエアフィルタ台座部分２２６と、の間の空間に配置されてもよい。
【０２３８】
コネクタ２２１ｂは、ドア前面部分２２１の後面の下部部分に配置されてもよい。コネクタ２２１ｂは、吸気口２２５の上方に配置されてもよい。例えば、コネクタ２２１ｂは、ドア前面部分２２１の後面から吸気口２２５に流れる空気の抵抗を最小限にするために、比較的細い幅を有するように後方に延在してもよい。
【０２３９】
コネクタ２２１ｂは、吸気口２２５が位置することによる影響が比較的弱くなるようにドア前面部分２２１を支持することができる。したがって、コネクタ２２１ｂは、ドア前面部分２２１の変形を防止し、それによって引き出し２２０の耐久性を向上させることができる。
【０２４０】
引き出し２２０は、ドア前面部分２２１の両側から後方に延在するドア側面部分２２２と、ドア側面部分２２２の下方に設けられたドア下面部分２２４と、ドア下面部分２２４の後側から上方に向かって延在するドア後面部分２２３と、をさらに含む。
【０２４１】
一方、ドア側面部分２２２は、引き出し２２０の側面または引き出しの「第２の壁」と呼ばれる場合がある。ドア下面部分２２４は、引き出し２２０の底面または引き出しの「第３の壁」と呼ばれる場合がある。同様に、ドア後面部分２２３は、引き出し２２０の後壁または引き出しの「第４の壁」と呼ばれる場合がある。
【０２４２】
吸気口２２５は、ドア下面部分２２４に形成されてもよい。
【０２４３】
さらに、水槽２６０、水容器２７０、および加湿フィルタアセンブリ３００が設置される設置空間は、ドア前面部分２２１、ドア下面部分２２４、ドア側面部分２２２、およびドア後面部分２２３によって引き出し２２０内に画定され得る。
【０２４４】
例えば、エアフィルタアセンブリ２８０は、引き出し２２０の前部部分に取り付けられてもよい。エアフィルタアセンブリ２８０は、エアフィルタケース２８１と、エアフィルタケース２８１に結合されたエアフィルタ２８５と、を含んでもよい。エアフィルタアセンブリ２８０は、上方に持ち上げられて分離されるように配置されてもよい。
【０２４５】
水容器２７０は、引き出し２２０のほぼ中央部分、すなわち、前後方向に関してエアフィルタアセンブリ２８０の後側に配置されてもよい。
【０２４６】
水容器２７０は、水槽２６０の内側に取り付けられてもよい。水容器２７０は、上方に持ち上げられて水槽２６０から分離されるように配置することができ、ユーザは、水容器２７０を分離して水を補充したり、水容器２７０を洗浄したりすることができる。さらに、開閉可能な水容器蓋２７１が水容器２７０に設けられてもよい。
【０２４７】
水を排出するためのバルブ孔２７２ｂと、バルブ孔２７２ｂを選択的に開閉するバルブ装置２７６とが、水容器２７０の底面２７２に設けられてもよい。
【０２４８】
水容器２７０の底面２７２は、バルブ装置２７６を囲むように突出するバルブブラケット２７３をさらに含んでもよい。バルブブラケット２７３は、バルブ装置２７６を保護するために、バルブ装置２７６の周りに半径方向に離間されてもよい。例えば、バルブブラケット２７３は、底面２７２から下方に突出する円筒形状を有してもよい。
【０２４９】
水容器２７０の底面２７２には、バルブブラケット２７３およびバルブ装置２７６が後述するフロート装置２６７と結合される結合空間２７２ａが形成されてもよい。例えば、結合空間２７２ａは、凹状空間として形成されてもよい。
【０２５０】
バルブ装置２７６は、水容器２７０が水槽２６０に設けられた水容器支持部分２６１に載置されるとバルブ孔２７５ａを開けることができ、バルブ装置２７６は、水容器２７０が水容器支持部分２６１から分離されるとバルブ孔２７５ａを閉じることができる。
【０２５１】
水槽２６０は、上部部分が開放された実質的に六面体形状を有してもよい。水槽２６０の下部部分には、水容器２７０を支持するための水容器支持部分２６１が含まれる。水容器支持部分２６１は、平坦な表面を形成する。
【０２５２】
水槽２６０は、水容器支持部分２６１から下方に突出し、かつフロート装置２６７が取り付けられる空間を有するフロート収容部分２６２をさらに含む。フロート収容部分２６２は、内部が空の中空形状であってもよい。例えば、フロート収容部分２６２は、水容器支持部分２６１のほぼ中央部分に配置されてもよい。
【０２５３】
フロート収容部分２６２は、水を貯蔵する第１の貯水部分２２９ａを形成し、第１の貯水部分２２９ａに貯蔵された水位に応じてフロート装置２６７が上下方向に移動するように設けられ得る。このとき、第１の貯水部分２２９ａの水位が設定水位以上になると、フロート装置２６７が上昇して、水容器２７０のバルブ孔２７５ａを閉じることができる。
【０２５４】
水槽２６０には、フロート収容部分２６２から後方に延在して水を貯蔵する第２の貯水部分２２９ｂが形成されてもよい。第２の貯水部分２２９ｂは、第１の貯水部分と連通し、第１の貯水部分と同じ水位を形成してもよい。
【０２５５】
加湿フィルタアセンブリ３００は、第２の貯水部分２２９ｂに取り付けられてもよい。加湿フィルタアセンブリ３００は、引き出し２２０の内部空間の後部部分に収容されてもよい。加湿フィルタアセンブリ３００は、水容器２７０の後側に配置されてもよい。
【０２５６】
加湿フィルタアセンブリ３００は、加湿フィルタケース３１０と、加湿フィルタケース３１０に回転可能に支持され、水槽２６０に貯蔵された水を吸収する加湿フィルタ３３０と、を含む。
【０２５７】
加湿フィルタ３３０は、円形の加湿フィルタフレーム３３１と、加湿フィルタフレーム３３１の内側に配置され、円形形状を有するフィルタ媒体３３２と、を含む。
【０２５８】
加湿フィルタ３３０の下部部分は、第２の貯水部分２２９ｂに浸漬するように配置されてもよい。
【０２５９】
加湿フィルタ３３０は、実質的に円形であり、加湿フィルタ３３０の外周部分は、水を保持することができる構造を有する収集リブ３３１ａを含む。収集リブ３３１ａは、加湿フィルタフレーム３３１の内側に設けられ、半径方向に延在してもよい。複数の収集リブ３３１ａが設けられ、複数の収集リブ３３１ａの間の空間が貯水空間を形成する。加湿フィルタ３３０および加湿フィルタフレーム３３１は、水車と同様の構造を有してもよい。
【０２６０】
加湿フィルタ３３０が回転可能に設けられると、収集リブ３３１ａによって収集された水が上方に移動する。そして、水は重力により加湿フィルタ３３０の中央部分に流れる。加湿フィルタ３３０は、水を容易に吸収できる布、フェルト、またはスポンジ材料で作られてもよい。
【０２６１】
水槽２６０の内部に光を照射するための殺菌装置２６９が水槽２６０の後側に配置され、水槽２６０に貯蔵された水を殺菌することができる。例えば、殺菌装置２６９は紫外線ＬＥＤを含んでもよい。
【０２６２】
加湿空気清浄機１０は、キャビネット１００の内側に配置されたハウジングアセンブリ４００をさらに含む。ハウジングアセンブリ４００は、ドアアセンブリ２００の後側に配置されてもよい。言い換えると、ハウジングアセンブリ４００は、引き出し２２０の後部部分２２３の後側に配置される。
【０２６３】
詳細には、ハウジングアセンブリ４００には、空気流を生成するための送風ファン４８０と、送風ファン４８０の前に配置されてその中に空気を吸い込むファン吸気口４１５を有するファンハウジング４１０と、ファンハウジング４１０の後側に結合されたハウジングカバー４３０と、が設けられる。送風ファン４８０は、ファンハウジング４１０とハウジングカバー４３０とによって画定されるファン設置空間に取り付けられてもよい。
【０２６４】
送風ファン４８０は、軸方向に空気を吸い込み、半径方向に空気を排出する遠心ファンを含む。例えば、遠心ファンはシロッコファンを含んでもよい。送風ファン４８０の軸方向は、前後方向であってもよい。送風ファン４８０に接続されたファンモータ４８５は、ファンハウジング４１０の中央部分に支持されており、送風ファン４８０の中央に軸方向に結合することができる。
【０２６５】
ファンハウジング４１０は、ファン吸気口４１５を含む（図１３を参照）。ファン吸気口４１５は、半径方向または円周方向に延在する吸気ガイドリブを含んでもよい。吸気ガイドリブにより、ユーザの手が送風ファン４８０に導入されることを防止できる。
【０２６６】
加湿空気清浄機１０は、複数の電気部品を有する電気ユニット４５０をさらに含む。電気ユニット４５０は、本体フレーム１１０の開放された上部部分を覆う電気プレート４５１をさらに含み、電気部品４５３は、電気プレート４５１の上面に取り付けられてもよい。
【０２６７】
言い換えると、キャビネット１００は、エアフィルタ２８５および送風ファン４８０が設置される空調空間と、電気部品が設置される電気空間と、を含む。空調空間と電気空間は、電気プレート４５１により上下に仕切られている。言い換えると、電気空間は電気プレート４５１の上方に位置してもよく、空調空間は電気プレート４５１の下方に位置してもよい。
【０２６８】
電気プレート４５１は、ハウジングアセンブリ４００の上部部分から前方に延在してもよい。上部パネル１０５は、電気部品４５３を保護するために電気プレート４５１の上側に結合される。
【０２６９】
電気ユニットは、ディスプレイ１０８ａを有するディスプレイモジュール４５２をさらに含んでもよい。ディスプレイモジュール４５２は、電気プレート４５１の前部部分に配置されてもよい。ディスプレイ１０８ａは、ディスプレイ溝１０８を通して外部に露出されてもよい。
【０２７０】
本体フレーム１１０の内側に、ドアアセンブリ２００を出し入れする操作をガイドするために、スライドレール２３５を設置することができる。
【０２７１】
スライドレール２３５は、本体フレーム１１０の下部部分の両側に配置されてもよい。スライドレールは、バー１１０ａの下端部分１１０ｂの上方に配置されてもよい。
【０２７２】
したがって、バー１１０ａの下端部分１１０ｂとシーリングフレーム２１１の下端部分２１１ａ、２１１ｂが前後方向に互いに密着するので、スライドレール２３５とレールガイド２３０により形成される隙間（または空間）をシールすることが可能である。したがって、吸気口２２５に流入する空気の流れを効果的に導くことができる。
【０２７３】
スライドレール２３５は、本体フレーム１１０の内面に結合された本体結合部分２３５ａを含んでもよい。
【０２７４】
レールカバー２３６は、スライドレール２３５の外側に配置されている。レールカバー２３６により、スライドレール２３５は外部に露出されなくてもよい。
【０２７５】
ドアアセンブリ２００の両側面には、レールガイド２３０が設けられる。レールガイド２３０は、スライドレール２３５に結合され、スライドレール２３５から引き出されるか、スライドレール２３５内に引き込まれることができ、前後にスライドすることができる。
【０２７６】
さらに、レールガイド２３０またはスライドレール２３５は、前方および後方の移動距離を制限するためのストッパを含んでもよい。
【０２７７】
引き出し２２０が最大限に引き出される場合、加湿フィルタアセンブリ３００は、本体フレーム１１０の前面開口部によって形成される平坦な表面上に配置されてもよい。
【０２７８】
言い換えると、ストッパは、引き出し２２０をキャビネットから引き出すことができる最大距離を設定することができる。ストッパは、加湿フィルタアセンブリ３００の位置に応じて、引き出し２２０をキャビネットから引き出すことができる最大距離を決定してもよい。
【０２７９】
本体フレーム１１０は、照明装置が取り付けられる照明ブラケット１１６をさらに含む。照明ブラケット１１６は、本体フレーム１１０の下方に配置されてもよく、第１のベース１０１から離間されてもよい。照明ブラケット１１６は、第１のベース１０１に面するように配置されてもよい。
【０２８０】
本体フレーム１１０は、第１のベース１０１から上方に延在するベース接続部分１１５をさらに含む。
【０２８１】
ベース接続部分１１５は、照明ブラケット１１６の後部部分から第１のベース１０１に向かって下方に延在することが理解できる。
【０２８２】
凹部部分３０は、第１のベース１０１と照明ブラケット１１６との間の空間を形成してもよい。ベース接続部分１１５は、凹部部分３０の後側を遮蔽してもよい。
【０２８３】
さらに、上述したように、凹部部分３０は、第１のベース１０１、ベース接続部分１１５、および照明ブラケット１１６により画定される空間として理解することができる。
【０２８４】
本体フレーム１１０は、ベース接続部分１１５から後方に延在し、かつ引き出し２２０を支持する第２のベース１１３をさらに含む。第２のベース１１３は、平坦な表面を形成し、引き出し２２０のドア下面部分２２４を支持することができる。第１のベース１０１および第２のベース１１３は、集合的に「ベース」と呼ばれることがある。
【０２８５】
本体フレーム１１０は、第１のベース１０１、ベース接続部分１１５および第２のベース１１３の構成により、前部部分から後側に向かって上方に階段状になった構成を有してもよい。ドアアセンブリ２００は、第２のベース１１３に支持されてキャビネット１００から出し入れされるので、ドアアセンブリ２００の下部部分は第１のベース１０１から上方に離間され、その空間は凹部部分３０を構成するので、吸気口２２５と連通することができる。
【０２８６】
照明装置は、照明源１２２ａを有する照明ＰＣＢ１２２と、照明ＰＣＢ１２２に結合された照明ケース１２４と、を含む。複数の照明源１２２ａを設けてもよく、複数の照明源１２２ａを左右方向に配置してもよい。
【０２８７】
照明ケース１２４は、照明ケース１２４の内部空間を複数の空間１２４ａに区画する区画リブ１２４ｂを含み、照明源１２２ａは、複数の空間１２４ａにそれぞれ配置されてもよい。照明源１２２ａは、照明ＰＣＢ１２２の１つの表面に結合され、光を下方に放射するように構成されてもよい。例えば、照明源１２２ａは、照明ＰＣＢ１２２の底面または前面に取り付けられてもよい。
【０２８８】
第１のベース１０１の上面に反射プレート１２０を設けてもよい。反射プレート１２０は、複数の照明源１２２ａの下方に配置され、照明源１２２ａから放射された光を穏やかに反射または拡散するように設けられてもよい。照明源１２２ａは、反射プレート１２０の上側に配置され、反射プレート１２０に向かって下方に光を照射する。凹部部分３０は、照明源と反射プレート１２０との間に形成されてもよい。
【０２８９】
加湿空気清浄機１は、照明源１２２ａによって照射される光に応じて、凹部部分３０または吸気口２２５が位置する領域に穏やかな光を提供することができる。したがって、照明装置は、ムード照明とも呼ばれることがある。
【０２９０】
照明ケース１２４の前面に人体検知センサを設置してもよい。人体検知センサは、ドアパネル２１０の方向に接近する人体を検知することができる。例えば、人体検知センサが加湿空気清浄機１に接近する人体を検知すると、照明装置は、照明源１２２ａの明るさを調整するように動作することができる。
【０２９１】
図８は、本発明の一実施形態による、エアフィルタと加湿フィルタがドアに配置された状態を示す図であり、図９は、本発明の一実施形態によるドアに配置されたエアフィルタが分離された状態を示す図であり、図１０は、本発明の一実施形態によるドアの構成を示す斜視図であり、図１１は、本発明の一実施形態によるエアフィルタの装着をガイドするための構成を示す図であり、図１２は、本発明の一実施形態によるドアの構成を示す平面図であり、図１３は、本発明の一実施形態によるキャビネットの内部構造を示す図である。
【０２９２】
図８から図１３を参照すると、ドアアセンブリ２００は、上述のように、ドアパネル２１０の後側に結合された引き出し２２０を含む。
【０２９３】
引き出し２２０は、キャビネットから前方に引き出され、キャビネット内に後方に引き込まれるように設けられてもよい。言い換えると、引き出し２２０は、家具の引き出しと同様の構成で設けられてもよい。
【０２９４】
引き出し２２０は、エアフィルタアセンブリ２８０、加湿フィルタアセンブリ３００、水容器２７０、および水槽２６０を含んでもよい。
【０２９５】
上述したように、引き出し２２０には、前面２２１と、前面２２１の両側端部から後方に延在する両側面２２２と、両側面２２２の下端部分に接続するように延在し、前面２２１と共に前後方向に離間した空間２２５を形成する底面２２４と、底面２２４の後端部と両側面２２２の後端部とを接続する後面２２３と、が設けられる。
【０２９６】
両側面２２２は、後側に向かって高さが低くなるように傾斜するように延在してもよい。両側面２２２および後面２２３の後端部は、前面２２１の高さよりも低くなるように上方に延在してもよい。
【０２９７】
上述したように、引き出し２２０の下部部分にベース面を形成する引き出しの底面２２４は、ドア下面部分２２４と呼ばれる場合がある。
【０２９８】
また、引き出しの前面２２１は、ドア前面部分２２１と呼ばれる場合がある。
【０２９９】
ドア下面部分２２４には、空気が吸い込まれる吸気口２２５が形成されている。吸気口２２５は、ドア前面部分２２１の後側に位置してもよい。例えば、吸気口２２５は、ドア下面部分２２４の少なくとも一部を通して形成されてもよい。
【０３００】
吸気口２２５の左右方向の幅Ｗ１は、前後方向の幅Ｗ２よりも大きくてもよい。左右方向の幅Ｗ１は、エアフィルタアセンブリ２８０の横方向の幅に対応する大きさを有してもよい。
【０３０１】
加湿空気清浄機１０の外部の空気は、凹部部分３０を介して吸気口２２５に吸い込まれ得る。次に、吸い込まれた空気は上方に流れ、エアフィルタ２８５を通過する間に浄化される。
【０３０２】
ドア下面部分２２４は、エアフィルタアセンブリ２８０が着座するエアフィルタ台座部分２２６を含む。
【０３０３】
エアフィルタ台座部分２２６は、エアフィルタ台座面と呼ばれる場合がある。吸気口２２５は、エアフィルタ台座部分２２６の前端部から引き出し２２０の前面２２１まで形成された開口部として画定されてもよい。
【０３０４】
エアフィルタ台座部分２２６は、吸気口２２５の後側に配置することができる。エアフィルタアセンブリ２８０の底面はエアフィルタ台座部分２２６に着座するため、エアフィルタ台座部分２２６は、エアフィルタアセンブリ２８０の底面に対応する平坦な表面として形成されてもよい。
【０３０５】
エアフィルタ台座部分２２６には、エアフィルタアセンブリ２８０を後側から支持するためのジョー２２６ａが設けられてもよい。
【０３０６】
ジョー２２６ａは、エアフィルタ台座部分２２６の後縁部から上方に突出してもよい。ジョー２２６ａは、「後部支持ジョー」と呼ばれる場合がある。
【０３０７】
ドア下面部分２２４は、水槽２６０が置かれる台座面２２７をさらに含む。水槽２６０が置かれる台座面は、水槽台座部分２２７または水槽台座面と呼ばれる場合がある。
【０３０８】
さらに、エアフィルタ台座部分２２６と水槽台座部分２２７とをまとめて「台座部分」または「台座面」と呼ぶ場合がある。
【０３０９】
水槽台座部分２２７は、エアフィルタ台座部分２２６よりも低い位置に形成されてもよい。例えば、引き出し２２０の底面２２４には、エアフィルタ台座部分２２６からエアフィルタ台座部分２２６の後側に向かって下方に凹んだ水槽台座部分２２７が形成されてもよい。さらに、水槽台座部分２２７の底面は平坦な名称で形成されてもよい。
【０３１０】
したがって、水槽２６０が水槽台座部分２２７に着座すると、水槽２６０がエアフィルタアセンブリ２８０より低い位置に配置されるので、水槽は空気の流れを妨げることがなく、貯えられた水が空気の流路に飛び散ることがない。
【０３１１】
一方、ジョー２２６ａは、引き出し２２０の内部空間を、エアフィルタアセンブリ２８０が設置される空気浄化空間と、水槽２６０が設置される空気加湿空間とに区分することができる。
【０３１２】
空気加湿空間では、水容器２７０から供給された水が貯水部分２２９ａ、２２９ｂに貯えられ、加湿フィルタアセンブリ３００の回転動作により貯蔵された水が汲み上げられ、空気を加湿する加湿処理が行われる。
【０３１３】
加湿処理によって流れる水が空気清浄空間に飛散したり流れ込んだりすると、加湿空気清浄機１が設置された室内空間が吸気口２２５を通して汚染される可能性がある。さらに、エアフィルタアセンブリ２８０の空気浄化性能を低下させる可能性がある。
【０３１４】
したがって、ジョー２２６ａは、空気加湿空間から空気浄化空間に水が飛散するのを防ぐ防水機能を果たすことができる。言い換えると、ジョー２２６ａは、水槽台座部分２２７およびエアフィルタ台座部分２２６よりも高くなるように上方に延在してもよい。
【０３１５】
エアフィルタ台座部分２２６は、水槽台座部分２２７よりも上方に位置してもよい。ジョー２２６ａの上端部は、水槽台座部分２２７の底面よりも所定の高さＨ４だけ高く位置してもよい。
【０３１６】
言い換えると、ジョー２２６ａは、水槽台座部分２２７から所定の高さＨ４だけ上方に延在してもよい。
【０３１７】
ここで、所定の高さＨ４は、水槽２６０の最大高さよりも大きく設定されてもよい。例えば、水槽２６０の最大高さは、貯水部分２２９ａ、２２９ｂを画定する水槽２６０の底面から、水槽２６０の外観を形成する水容器支持部分２６１の最上端部までの距離として定義されてもよい。
【０３１８】
言い換えると、所定の高さＨ４は、水槽２６０の最下端部から最上端部までの垂直距離よりも大きくなるように設定されてもよい。したがって、ジョー２２６ａは、水槽台座部分２２７に位置する貯水部分から空気浄化空間への水の流入を防止することができる。
【０３１９】
吸気口２２５、エアフィルタ台座部分２２６、および水槽台座部分２２７は、引き出し２２０内で前後方向に順番に整列されてもよい。したがって、吸気口２２５に吸い込まれた空気は後方に流れ、エアフィルタ２８５および加湿フィルタ３３０を通過するため、流動性を向上させることができる。
【０３２０】
さらに、引き出し２２０の底面の前部領域に形成された吸気口２２５によりドアパネル２１０の下端部に流入する空気は、吸気口２２５を介して上側に流れることができる。
【０３２１】
吸気口２２５を通過した空気は、エアフィルタ台座部分２２６に着座したエアフィルタアセンブリ２８０を通過し、加湿フィルタアセンブリ３００は、水槽台座部分２２７に着座し、したがって空気浄化および空気加湿を行うことができる。
【０３２２】
ここで、エアフィルタアセンブリ２８０と加湿フィルタアセンブリ３００は、引き出し２２０の上側から挿入されるため、空気が流入する領域（またはエリア）は、エアフィルタ台座部分２２６と水槽台座部分２２７に相対的に垂直方向または長手方向に形成されてもよい。
【０３２３】
言い換えると、吸気口２２５を通過して上方に導かれる空気の流路は、横方向に曲げられてもよく、したがって、空気がエアフィルタ２８５および加湿フィルタ３３０を通過する。
【０３２４】
したがって、上記の空気流路による本発明の実施形態による加湿空気清浄機１は、エアフィルタ２８５および／または加湿フィルタ３３０の上端部が下端部よりも前方に傾斜するように取り付けることができる。したがって、空気浄化効果および空気加湿効果を向上させることができる。
【０３２５】
言い換えると、エアフィルタアセンブリ２８０は、引き出し２２０内に斜めに挿入されてもよい。したがって、上記の空気流路における空気の取り入れ面積を最大限に向上させることができる。
【０３２６】
具体的には、エアフィルタアセンブリ２８０は、吸気口２２５の後端部に位置する下端部と、ドア前面部分２２１の上端部に位置する上端部と、を有してもよい。
【０３２７】
このとき、エアフィルタアセンブリ２８０の下端部から上端部までの長さは、ドア前面部分２２１の上端部から吸気口２２５の前端部までの長さおよび／または吸気口２２５の前端部からエアフィルタアセンブリ２８０の下端部までの長さよりも長くてもよい。
【０３２８】
エアフィルタアセンブリ２８０の下端部から上端部までの長さＨ３は、少なくとも吸気口２２５の前端部から下端部までの第１の長さＨ１および吸気口２２５の前端部からドア前面部分の上端部までの第２の長さＨ２の少なくとも一方より長くなるように形成されてもよい。
【０３２９】
以下では、吸気口２２５の位置および形状により、取り入れ面積を最大化し、エアフィルタ２８５を簡単かつ安定的に固定し支持するための設置構造について詳細に説明する。
【０３３０】
ドア側面部分２２２は、エアフィルタアセンブリ２８０の両側面部分を支持するためのフィルタガイド２２５ａを含む。
【０３３１】
フィルタガイド２２５ａは、エアフィルタ台座部分２２６の両側端部から斜め上方に延在してもよい。フィルタガイド２２５ａは、所定の角度α１で傾斜することにより、下部部分から上部部分に向かって前方に延在してもよい。
【０３３２】
言い換えると、フィルタガイド２２５ａは、ドア下面部分２２４に向かって斜め後方に延在してもよい。したがって、エアフィルタアセンブリ２８０がエアフィルタ台座部分２２６に着座する場合に、エアフィルタアセンブリ２８０は、斜め前方に傾斜するように配置されてもよい。
【０３３３】
したがって、ユーザは、エアフィルタアセンブリ２８０を容易に上方に持ち上げることができる。したがって、フィルタガイド２２５ａは、引き出し２２０からのエアフィルタアセンブリ２８０の分離を容易にすることができる。
【０３３４】
さらに、ドア側面部分２２２は、フィルタガイド２２５ａの両側方向に延在し、かつエアフィルタアセンブリ２８０の前面の両側端部を支持するフィルタ支持部分２２５ｂをさらに含む。
【０３３５】
フィルタ支持部分２２５ｂは、フィルタガイド２２５ａの前部部分から左右方向（または両側方向）に所定の長さだけ延在してもよい。所定の長さは、エアフィルタアセンブリ２８０のエアフィルタ２８５と干渉しない長さに設定されてもよい。
【０３３６】
フィルタ支持部分２２５ｂは、エアフィルタアセンブリ２８０の前面の一部を支持してもよい。言い換えると、フィルタ支持部分２２５ｂは、エアフィルタアセンブリ２８０が傾斜して配置された状態で前方に倒れないようにエアフィルタアセンブリ２８０を支持する「前部支持ジョー」として機能することができる。
【０３３７】
フィルタ支持部分２２５ｂはまた、所定の角度α１の傾きで下端部から上端部に向かって前方に延在してもよい。言い換えると、後述するフィルタ支持部分２２５ｂの斜辺は、上端部から下端部に向かって所定の角度α１だけ後方に傾斜するように延在してもよい。
【０３３８】
言い換えると、フィルタ支持部分２２５ｂとドア前面部分２２１とがなす角度は、所定の角度α１を形成する。所定の角度α１は鋭角を形成し、例えば５〜４５度の範囲で形成されてもよい。
【０３３９】
したがって、エアフィルタアセンブリ２８０の前面、両側面、および両側面の上端部の一部は、フィルタガイド２２５ａおよびフィルタ支持部分２２５ｂによって支持されるので、これにより、エアフィルタアセンブリ２８０を前方に傾けて配置しても、エアフィルタアセンブリ２８０を安定に固定することができる。
【０３４０】
一方、エアフィルタアセンブリ２８０の前面を支持するフィルタ支持部分２２５ｂの表面の長さは、エアフィルタアセンブリ２８０の前面の垂直方向の長さに対応する長さとして形成してもよい。例えば、エアフィルタ２８５の垂直方向の長さは、フィルタ支持部分２２５ｂによって支持される側面の長さに等しくてもよい。
【０３４１】
詳細には、フィルタ支持部分２２５ｂは、下端部がエアフィルタ台座部分２２６の前端部に形成され、上端部がドア前面部分２２１の上端部に形成されている。言い換えると、フィルタ支持部分２２５ｂは、エアフィルタ台座部分２２６の前端部からドア前面部分２２１の上端部まで前方に傾斜するように延在してもよい。したがって、吸気口２２５は、フィルタ支持部分２２５ｂの下端部に配置されてもよい。
【０３４２】
ここで、吸気口２２５の幅Ｈ１は、エアフィルタ台座部分２２６の前端部とドア前面部分２２１の後面との間の距離として定義されてもよい。言い換えると、フィルタ支持部分２２５ｂのベースの長さＨ１は、吸気口２２５の幅Ｈ１として定義されてもよい。フィルタ支持部分２２５ｂのベースの長さは、第１の長さＨ１と呼ばれる場合がある。
【０３４３】
さらに、フィルタ支持部分２２５ｂとドア前面部分２２１とが互いに接触する縁部の長さＨ２は、フィルタ支持部分２２５ｂの下端部から水平方向に前側に離間するように対応するドア前面部分２２１の点からドア前面部分２２１の上端部までの長さとして定義することができる。この場合、フィルタ支持部分２２５ｂの縁部の長さは、第２の長さＨ２と呼ばれる場合がある。
【０３４４】
さらに、フィルタ支持部分２２５ｂの斜辺の長さＨ３は、エアフィルタ台座部分２２６の前端部からドア前面部分２２１の上端部までの長さＨ３として定義されてもよい。この場合、フィルタ支持部分２２５ｂの斜辺の長さは、第３の長さＨ３と呼ばれる場合がある。
【０３４５】
フィルタ支持部分２２５ｂは、エアフィルタアセンブリ２８０の前面を前側から支持してもよい。詳細には、フィルタ支持部分２２５ｂは、エアフィルタアセンブリ２８０のフィルタケース２８１を支持してもよい。具体的には、フィルタ支持部分２２５ｂは、後述する第１のケース部分２８１ａの前端部分に接触して支持され得る。
【０３４６】
第１のケース部分２８１ａの前端部分は、フィルタ支持部分２２５ｂの斜辺に対応する長さＨ３を有するように形成されてもよい。したがって、エアフィルタ２８５の前面は、フィルタ支持部分２２５ｂの斜辺に対応する長さＨ３として形成されてもよい。
【０３４７】
第３の長さＨ３は、第２の長さＨ２および第１の長さＨ１よりも長く設定されてもよい。
【０３４８】
言い換えると、フィルタ支持部分２２５ｂの斜辺は、フィルタ支持部分２２５ｂの縁部よりも長く延在する。したがって、エアフィルタ２８５は、フィルタ支持部分２２５ｂの垂直方向の縁部より長く延在してもよい。
【０３４９】
さらに、フィルタ支持部分２２５ｂの縁部は、吸気口２２５の幅よりも長く延在してもよい。
【０３５０】
したがって、エアフィルタ２８５は、空気の取り入れ面積を最適化するために、引き出し２２０に斜め方向に挿入することができる。
【０３５１】
さらに、ユーザが、ドア上面部分２２８の分離したエアフィルタアセンブリ２８０の下端部を、分離したエアフィルタアセンブリ２８０の下端部がドア上面部分２２８に挿入された状態にしておくことを可能にすることによって、エアフィルタアセンブリ２８０は、重力によりフィルタ支持部分２２５ｂのガイドに沿って下方にスライドする。その結果、エアフィルタアセンブリ２８０を容易に取り付けることができる。
【０３５２】
フィルタ支持部分２２５ｂの側面は、三角形状に形成されてもよい。例えば、フィルタ支持部分２２５ｂのベースは、フィルタ支持部分２２５ｂの斜辺に対して垂直であってもよい。言い換えると、フィルタ支持部分２２５ｂの側面は直角三角形を形成してもよい。この場合、フィルタ支持部分２２５ｂの斜辺の長さＨ２は、既知の数式から導出されてもよい。
【０３５３】
フィルタガイド２２５ａには、エアフィルタアセンブリ２８０の後側をガイドし支持するために突出するガイドリブ２２５ｃが設けられている。
【０３５４】
ガイドリブ２２５ｃは、エアフィルタ台座部分２２６の両側の後端部に配置されてもよい。ガイドリブ２２５ｃは、エアフィルタ台座部分２２６から上方に延在し、上部部分が後方に屈曲していてもよい。
【０３５５】
ガイドリブ２２５ｃは、ジョー２２６ａから上方に延在する第１の部分２２５ｄと、第１の部分２２５ｄの上部部分から後方に屈曲した第２の部分２２５ｅと、を含む。
【０３５６】
エアフィルタケース２８１には、ガイドリブ２２５ｃに接触する装着突起２８０ａが設けられている。装着突起２８０ａは、エアフィルタケース２８１から後方に突出してもよい。エアフィルタアセンブリ２８０がエアフィルタ台座部分２２６に装着されると、装着突起２８０ａがガイドリブ２２５ｃの前面に接触する。
【０３５７】
エアフィルタアセンブリ２８０がエアフィルタ台座部分２２６に向かって下方に移動すると、装着突起２８０ａは、第２の部分２２５ｅ、２２５ｄの前側を通過して、第１の部分２２５ｄの前側に向かう。
【０３５８】
このとき、第２の部分２２５ｅは第１の部分２２５ｄから屈曲しているので、装着突起２８０ａは第２の部分２２５ｅと干渉することなく容易に下方に移動し、装着突起２８０ａが第１の部分２２５ｄと干渉すると、エアフィルタアセンブリ２８０の装着が完了され得る。装着突起２８０ａとガイドリブ２２５ｃとの接触により、エアフィルタアセンブリ２８０の揺れを防止することができる。
【０３５９】
ドア側面部分２２２は、フィルタガイド２２５ａから後方に延在する内側プレート２２２ａと、内側プレート２２２ａの外側面から離間した外側プレート２２２ｂと、内側プレート２２２ａから外側プレート２２２ｂまで延在する複数の補強リブ２２２ｃと、をさらに含む。
【０３６０】
内側プレート２２２ａはドア側面部分２２２の内面を形成し、外側プレート２２２ｂは内側プレート２２２ａよりも短く配置される。具体的には、外側プレート２２２ｂの上部部分は内側プレート２２２ａの上部部分に接続され、外側プレート２２２ｂの下部部分は内側プレート２２２ａの下部部分よりも上方に配置されてもよい。
【０３６１】
したがって、外側プレート２２２ｂの下方には、内側プレート２２２ａに向かって凹んだガイド設置空間２２２ｄが形成される。ガイド設置空間２２２ｄには、レールガイド２３０が配置され得る。レールガイド２３０の後部部分は、内側プレート２２２ａおよび外側プレート２２２ｂの後部部分に結合されてもよい。
【０３６２】
レールガイド２３０は、本体フレーム１１０に設けられたスライドレール２３５に移動可能に結合されてもよい。
【０３６３】
一方、レールガイド２３０およびスライドレール２３５は、レールアセンブリと呼ばれる場合がある。
【０３６４】
さらに、レールガイド２３０またはスライドレール２３５は、引き出し２２０がキャビネット１００に前後方向に出し入れされる距離を制限するためのストッパを含んでもよい。
【０３６５】
別の例として、本体フレーム１１０は、ドアアセンブリ２００がキャビネットから引き出され得る距離を強制的に制限するためのレール保持ジョー２３５ｂをさらに含んでもよい。
【０３６６】
レール保持ジョー２３５ｂは、レールカバー２３６の前端部から前方に離間されてもよい。例えば、レール保持ジョー２３５ｂは、本体フレームのバー１１０ａの下端部分１１０ｂに配置されてもよい。より具体的には、レール保持ジョー２３５ｂは、本体フレーム１１０の下端部分１１０ｂから上方に突出してもよい。
【０３６７】
スライドレール２３５またはレールガイド２３０は、スライドレール２３５またはレールガイド２３０がレール保持ジョー２３５ｂと接触するまで前方に引き出されてもよい。レール保持ジョー２３５ｂは、スライドレール２３５またはレールガイド２３０の進行方向に対して垂直に突出しているため、レール保持ジョー２３５ｂによりスライドレール２３５またはレールガイド２３０が保持される。したがって、レール保持ジョー２３５ｂは、ドアアセンブリ２００をキャビネットから引き出すことができる距離を制限することができる。
【０３６８】
レール保持ジョー２３５ｂまたはストッパ（図示せず）は、ドアアセンブリ２００がキャビネットから引き出することができる最大距離を画定してもよい。詳細には、ドアアセンブリ２００が引き出され得る最大距離は、加湿フィルタアセンブリ３００が本体フレーム１１０の前端部によって形成される平坦な表面上に位置するように設定されてもよい。
【０３６９】
言い換えると、ドアアセンブリ２００が完全に引き出された場合、加湿フィルタケース３１０の前面と本体フレームのバー１１０ａの前面は平坦な表面に位置することができる。
【０３７０】
したがって、ドアアセンブリ２００が引き出される場合、管理が必要な加湿空気清浄機１の構成、すなわち、エアフィルタアセンブリ２８０、水容器２７０、および加湿フィルタアセンブリ３００を一緒に引き出すことができる。
【０３７１】
さらに、加湿フィルタアセンブリ３００は、本体フレーム１１０の前面開口部に対応する位置に配置されているため、ユーザは、管理する必要のある構成を操作可能な空間に向けて一度に引き出すことができる。言い換えると、管理構成要素へのアクセシビリティを改善することができる。
【０３７２】
さらに、ドアアセンブリ２００が引き出される場合、加湿フィルタアセンブリ３００が本体フレーム１１０またはキャビネット１００の前面開口部に位置するため、本体フレームの内部空間１１２が視野にさらされることを防止することができる。
【０３７３】
したがって、ドアアセンブリ２００が最大限に引き出されたとしても、ユーザがキャビネット１００の内部構成に手を入れることを防止することができる。したがって、製品の安全性を向上させることができる。
【０３７４】
ドアアセンブリ２００を最大限引き出しても、内部空間１１２に設けられた構成要素はユーザに露出されないため、加湿空気清浄機１の外観をきれいに保つことができる。これにより、ユーザの感情的な側面を満たすことができるため、製品のアップグレードが可能になる。
【０３７５】
ドア後面部分２２３には、殺菌装置２６９が配置される貫通孔２２３ｂが形成されている。例えば、殺菌装置２６９は、貫通孔２２３ｂの内部に配置されてもよいし、貫通孔２２３ｂの後側に配置されてもよい。殺菌装置２６９から照射された光は、貫通孔２２３ｂを介して水槽２６０に伝搬され、水を殺菌することができる。
【０３７６】
ドアアセンブリ２００は、引き出し２２０の前部上面を形成するドア上面部分２２８をさらに含む。ドア上面部分２２８は、フィルタガイド２２５ａの上面を形成し、引き出し２２０の両側に設けられてもよい。
【０３７７】
ドア上面部分２２８には、下向きに凹み、エアフィルタアセンブリ２８０が装着される装着溝２２８ａが形成されている。エアフィルタアセンブリ２８０のエアフィルタケース２８１には、装着溝２２８ａに挿入される挿入突起２８０ｂが設けられている。
【０３７８】
詳細には、エアフィルタケース２８１には、フィルタガイド２２５ａに沿ってスライドし、垂直方向に斜めに延在する第１のケース部分２８１ａと、第１のケース部分２８１ａの上側に設けられ、左右方向に延在する第２のケース部分２８１ｂと、が設けられている。第１のケース部分２８１ａはエアフィルタケース２８１の側面部分を形成し、第２のケース部分２８１ｂはエアフィルタケース２８１の上面部分を形成する。
【０３７９】
挿入突起２８０ｂは、第２のケース部分２８１ｂに設けられ、第２のケース部分２８１ｂの底面から下方に突出してもよい。第２のケース部分２８１ｂがフィルタガイド２２５ａの上面に着座すると、挿入突起２８０ｂが装着溝２２８ａに挿入され得る。
【０３８０】
水槽２６０の上側には、水容器２７０が配置されている。水容器２７０は、水を貯蔵する水容器本体と、水容器本体の上部に着脱可能に結合された水容器蓋２７１と、を含む。ユーザは、水容器カバーを分離して、水容器本体内の水を補充することができる。
【０３８１】
水容器２７０が水槽２６０内に配置されると、水容器２７０のバルブ装置２７６が開かれ、水容器２７０に貯蔵された水が第１の貯水部分２２９ａに流れ込むことができる。
【０３８２】
加湿フィルタアセンブリ３００は、水槽２６０に取り付けられてもよい。加湿フィルタアセンブリ３００は、水容器２７０の後側に配置されてもよく、加湿フィルタアセンブリ３００の下部部分は、第２の貯水部分２２９ｂに浸漬するように配置されてもよい。
【０３８３】
加湿フィルタアセンブリ３００は、シャフト支持部分３１５を有する加湿フィルタケース３１０と、シャフト支持部分３１５により支持された中心シャフト３３５を有する加湿フィルタ３３０と、を含む。加湿フィルタ３３０の中心シャフト３３５は、シャフト支持体３１５によって支持されながら、時計回りまたは反時計回りに回転することができる。
【０３８４】
加湿フィルタ３３０は、水槽２６０の第２の貯水部分２２９ｂに貯蔵された水を汲み上げるための収集リブ３３１ａを含む。収集リブ３３１ａから汲み上げられた水は、加湿フィルタが回転する過程で上方に移動し、水が再び下方に移動すると、加湿フィルタ３３０に下方に流れ込むことができる。加湿フィルタ３３０に下向きに流れ込む水は、フィルタ媒体３３２に浸透することができる。
【０３８５】
加湿空気清浄機１０は、加湿フィルタ３３０を回転させるための駆動装置として、加湿フィルタモータ３５３（図７参照）と、加湿フィルタモータ３５３に結合されて回転する加湿フィルタ駆動ギヤ３５５と、をさらに含む。加湿フィルタモータ３５３および加湿フィルタ駆動ギヤ３５５は、ファンハウジング４１０に設置されてもよい。
【０３８６】
加湿フィルタ３３０は、加湿フィルタ駆動ギヤ３５５と噛み合うフィルタギヤ３３８を含む。フィルタギヤ３３８は、フィルタ媒体３３２の外面に設けられてもよく、複数のギヤを有してもよい。フィルタ媒体３３２の複数のギヤは、加湿フィルタ駆動ギヤ３５５と噛み合うことができる。加湿フィルタモータ３５３が駆動されると、フィルタギヤ３３８は、加湿フィルタ駆動ギヤ３５５と連動して時計回りまたは反時計回りに回転することができる。
【０３８７】
ファンハウジング４１０の前面には、接触部分４１１が設けられている。ドア後面部分２２３には、接触部分４１１の操作を切り替えるための接触突起２２３ａが設けられている。接触突起２２３ａは、ドア後面部分２２３から後方に突出してもよい。
【０３８８】
ドア２００が閉じられると、接触突起２２３ａが接触部分４１１に接触するか、接触突起２２３ａが所定の距離内で接触部分４１１に近づくことにより、ドア２００が閉じられたことが認識され得る。ファンモータ４８５または加湿フィルタモータ３５３は、ドア２００が閉じていると認識された場合にのみ駆動することができる。したがって、使用安定性を向上させることができる。
【０３８９】
図１４は、本発明の一実施形態によるエアフィルタアセンブリの構成を示す分解図であり、図１５は、本発明の一実施形態による加湿空気清浄機内の空気の流れを示す断面図である。
【０３９０】
図１４および図１５を参照すると、エアフィルタアセンブリ２８０は、第１のケース部分２８１ａおよび第２のケース部分２８１ｂを有するエアフィルタケース２８１、エアフィルタケース２８１に結合されたフィルタ装着部分２８３、ならびにフィルタ装着部分２８３に結合されたエアフィルタ２８５を含んでもよい。
【０３９１】
以下では、説明の便宜上、エアフィルタケース２８１をフィルタケース２８１と呼ぶ場合がある。
【０３９２】
フィルタケース２８１は、側面が傾斜した長方形状に形成されてもよい。例えば、フィルタケース２８１の側面が平行四辺形に形成されてもよい。
【０３９３】
フィルタケース２８１の側面は、第１のケース部分２８１ａとして理解することができ、フィルタケース２８１の上面は、第２のケース部分２８１ｂとして理解することができる。
【０３９４】
第２のケース部分２８１ｂは、第１のケース部分２８１ａの上部部分に設けられたフィルタガイド台座部分２８２ｂと、フィルタガイド台座部分２８２ｂの上面に結合されたフィルタカバー２８２ａと、を含む。フィルタカバー２８２ａは、平坦な表面が形成された板状に設けられてもよい。
【０３９５】
フィルタケース２８１は、前面と後面が開放され、エアフィルタ台座部分２２６とフィルタガイド２２５ａに対応する形状を有するように構成されてもよい。例えば、フィルタケース２８１は、前後方向に開放された六面体形状を有してもよい。
【０３９６】
フィルタケース２８１の下面は、エアフィルタ台座部分２２６に着座されてもよく、エアフィルタ台座部分２２６に対応する形状を有してもよい。例えば、フィルタケース２８１の下面は、平坦な表面として形成されてもよい。
【０３９７】
したがって、エアフィルタアセンブリ２８０は、引き出し２２０から取り外され、平坦な地面に立つように置かれてもよい。したがって、エアフィルタアセンブリの管理性を向上させることができる。
【０３９８】
一方、フィルタケース２８１の下面が地面に当接してエアフィルタアセンブリ２８０が起立する場合、フィルタケース２８１の上面は前側に向かって上向きに傾斜するように形成されてもよい。
【０３９９】
詳細には、フィルタケース２８１の上面と側面とによって形成される縁部の延在する方向に引かれた仮想直線を第１の平行線Ｐ１と定義することができる。フィルタケース２８１の下面と側面とによって形成される縁部の前端部から第１の平行線Ｐ１に平行に引いた仮想直線を第２の平行線Ｐ２と定義することができる。
【０４００】
第１の平行線Ｐ１および第２の平行線Ｐ２は互いに平行である。
【０４０１】
さらに、フィルタケース２８１の下面と側面とによって形成される縁部の延在する方向に引かれた仮想直線を傾斜線Ｐ３と定義することができる。
【０４０２】
傾斜線Ｐ３は、第２の平行線Ｐ２からの所定の傾斜角βを有する。例えば、傾斜角βは鋭角に設定されてもよい。
【０４０３】
言い換えると、フィルタケース２８１の上面は、傾斜角βを有するようにフィルタケース２８１の下面に対して下向きに延在してもよい。具体的には、フィルタケース２８１の上面は、フィルタケース２８１の下面よりも後端部に向かって傾斜角βだけ下方に傾斜した傾斜面として形成されてもよい。
【０４０４】
さらに、フィルタケース２８１の下面は、傾斜角βを有するようにフィルタケース２８１の上面に対して上方に延在してもよい。具体的には、フィルタケース２８１の下面は、フィルタケース２８１の上面よりも後端部に向かって上方に傾斜した傾斜面として形成されてもよい。
【０４０５】
言い換えると、フィルタケース２８１の上面および下面の延長線は互いに平行ではなく、任意の仮想点で交わることができる。
【０４０６】
さらに、エアフィルタ台座部分２２６は、後端部に向かって上方に傾斜した上面を形成することができる。ここで、エアフィルタ台座部分２２６の上面により形成される傾斜角βは、上述したフィルタケース２８１の傾斜角βと同じであってもよい。
【０４０７】
したがって、エアフィルタアセンブリ２８０の下端部分は、例えば、「Ｖ」字形の縦断面を有するように形成されてもよい。フィルタ支持部分２２５ｂとエアフィルタ台座部分２２６とが互いに接続される側面は、「Ｖ」字形を形成してもよい。したがって、エアフィルタアセンブリ２８０の下端部分は、フィルタ支持部分２２５ｂとエアフィルタ台座部分２２６とが互いに接続されている縁部に嵌合することができる。
【０４０８】
その結果、ユーザがエアフィルタアセンブリ２８０をドア上面部分２２８に置いて、エアフィルタアセンブリ２８０をそのままにすると、エアフィルタアセンブリ２８０が重力により下方にスライドし、台座部分２２６とフィルタ支持部分２２５ｂの傾斜した上面に嵌合するので、取り付けを容易に完了することができる。言い換えると、ユーザの利便性を向上させることができる。
【０４０９】
エアフィルタアセンブリ３００がエアフィルタ台座部分２２６に着座した場合、フィルタケース２８１の下縁部は傾斜角βだけ傾斜する。したがって、フィルタケース２８１の上面、すなわち第２のケース部分２８１ｂは、水平に配置されてドア上面部分２２８に着座してもよい。
【０４１０】
その結果、本発明の実施形態によるエアフィルタアセンブリ２８０および引き出し２２０によれば、エアフィルタ２８５に吸い込まれる空気の流れ断面積を最大限に向上させることが可能であり、ユーザがフィルタアセンブリ２８０を容易に分離または設置することができるという利点がある。
【０４１１】
一方、フィルタケース２８１の両側面、すなわち第１のケース部分２８１ａは、下面から上部部分に向かって前方に傾斜するように延在することができる。言い換えると、第１のケース部分２８１ａは、フィルタガイド２２５ａに対応するように形成されてもよい。
【０４１２】
第２のケース部分２８１ｂは、第１のケース部分２８１ａの上部部分を結合するように延在しており、第２のケース部分２８１ｂの上面は、両側の第１のケース部分２８１ａ間の距離より長く延在する。したがって、第２のケース部分２８１ｂの両側部分は、第１のケース部分２８１ａから外側に突出し、ドア上面部分２２８に支持されてもよい。挿入突起２８０ｂは、第２のケース部分２８１ｂの底面の両側部分に設けられてもよい。
【０４１３】
フィルタケース２８１は、ユーザが握ることができるハンドル２８２ｃをさらに含んでもよい。ハンドル２８２ｃは、フィルタケース２８１の上部部分に凹溝を含んでもよい。例えば、ハンドル２８２ｃは、フィルタケース２８１の後側の上部部分から下方に傾斜するように凹んでいてもよい。したがって、ユーザの手は、フィルタケース２８１の後側から容易に挿入することができる。
【０４１４】
ユーザは、ハンドル２８２ｃに手を挿入することにより、フィルタカバー２８２ａと共にハンドル２８２ｃを握ることができる。その結果、ユーザは、ハンドル２８２ｃを握ることにより、傾斜した垂直方向にエアフィルタアセンブリ２８０を容易に分離または装着するという利点を有する。
【０４１５】
フィルタ装着部分２８３は、フィルタ支持部分２２５ｂの斜辺に対応する長さで垂直方向に延在してもよい。
【０４１６】
フィルタ装着部分２８３は、複数のフレーム２８３ａ、２８３ｂを含んでもよい。例えば、フィルタ装着部分２８３は、フィルタケース２８２の開放された前端部分に対応する外側フレーム２８３ａと、外側フレームから垂直方向または両側方向に延在する内側フレーム２８３ｂと、を含んでもよい。内側フレーム２８３ｂは、向かい合う外側フレーム２８３ａを接続するように形成されてもよい。フレームは、比較的高い延性を有する材料で形成されてもよい。
【０４１７】
したがって、ユーザが圧力を加えることでフレームを曲げることができる。これにより、ユーザは、後述する取付リブ２８６を引っ張ることにより曲げられたフィルタ装着部分２８３を介して、フィルタ装着部分２８３をフィルタケース２８１から容易に分離することができる。
【０４１８】
エアフィルタ２８５は、フィルタ装着部分２８３により結合されて安定的に固定されてもよい。例えば、エアフィルタ２８５は、フレーム２８３ａ、２８３ｂに嵌合されることにより、フレームによって形成される空間に配置され、吸い込まれた空気を浄化する。
【０４１９】
エアフィルタ２８５は、比較的大きな粒子を有する物質をフィルタ処理するためのプレフィルタ、比較的小さな粒子を有する物質をフィルタ処理するためのＨＥＰＡフィルタ、および臭気を除去するための脱臭フィルタのうちの少なくとも１つを含んでもよい。
【０４２０】
フィルタ装着部分２８３およびエアフィルタ２８５は、フィルタケース２８２の開放前端部分に配置されてもよい。具体的には、フィルタ装着部分２８３は、フィルタケース２８１に嵌合することができる。このために、フィルタ装着部分２８３は、上部固定突起２８７および下部固定突起２８８を含んでもよい。
【０４２１】
フィルタ装着部分２８３の上端部分には、複数の上部固定突起２８７が形成されてもよい。例えば、上部固定突起２８７は、フィルタ装着部分２８３の上部部分から上方に突出してもよい。
【０４２２】
フィルタ装着部分２８３の下端部分には、複数の下部固定突起２８８が形成されてもよい。例えば、下部固定突起２８８は、フィルタ装着部分２８３の下部部分から下方に突出してもよい。
【０４２３】
フィルタケース２８１は、上部固定突起２８７が挿入される上部固定溝２８４ａと、下部固定突起２８８が挿入される下部固定溝２８４ｂと、を含んでもよい。
【０４２４】
上部固定溝２８４ａは、フィルタケース２８２の上端部面に内向きに凹んだ溝として形成されてもよい。上部固定溝２８４ａは、上部固定突起２８７の数と位置に対応するように形成されてもよい。したがって、上部固定突起２８７は、上部固定溝２８４ａに挿入されて上部固定溝２８４ａに嵌合されてもよい。
【０４２５】
下部固定溝２８４ｂは、フィルタケース２８１の下面に内側に凹んだ溝として形成されてもよい。下部固定溝２８４ｂは、下部固定突起２８８の数と位置に対応してもよい。したがって、下部固定突起２８８は、下部固定溝２８４ｂに挿入されて下部固定溝２８４ｂに嵌合されてもよい。
【０４２６】
フィルタ装着部分２８３は、ユーザが握ることができる取付リブ２８６をさらに含んでもよい。取付リブ２８６は、フィルタ装着部分２８３の前面から前方に突出してもよい。例えば、取付リブ２８６は、フィルタ装着部分２８３の内側フレーム前面から前方に突出するように形成されてもよい。
【０４２７】
さらに、取付リブ２８６は、複数の内側フレーム前面に対して互いに対称となるように設けられてもよい。言い換えると、一対の取付リブ２８６を設けることができる。したがって、ユーザは、前面に取付リブ２８６をそれぞれ把持して、フィルタ装着部分２８３をフィルタケース２８１に容易に取り付けたり、フィルタ装着部分２８３をフィルタケース２８１から分離したりすることができる。
【０４２８】
取付リブ２８６は、内側フレームの前端部面から前方に延在するので、取付リブ２８６は、凹部部分３０を通って流入し、エアフィルタ２８５を通過する空気の流れ方向に沿って遮蔽しないので、空気がエアフィルタ２８５の取り入れ面全体を通過するという利点がある。
【０４２９】
さらに、ユーザは、上部固定突起２８７と下部固定突起２８８が上部固定溝２８４ａと下部固定溝２８４ｂに容易に挿入されるように取付リブ２８６を把持できるので、エアフィルタ２８５を容易に管理することができる。
【０４３０】
図１５を参照して、本発明の実施形態による加湿空気清浄機内の空気の流れについて簡単に説明する。
【０４３１】
送風ファン４８０が駆動されると、空気清浄機の外部の空気を凹部部分３０を介して吸気口２２５に吸い込むことができる。吸気口２２５から吸い込まれた空気は、上方に流れて引き出し２２０に流れ込む。
【０４３２】
次に、空気はエアフィルタアセンブリ２８０を通過する。エアフィルタアセンブリ２８０がエアフィルタ台座部分２２６に着座した状態では、エアフィルタアセンブリ２８０が前方に傾斜しているため、エアフィルタアセンブリ２８０のフィルタ面を空気が均一に通過することができる。
【０４３３】
エアフィルタアセンブリ２８０でフィルタ処理された空気は後方に流れ、加湿フィルタアセンブリ３００を通過することができる。空気は、加湿フィルタアセンブリ３００を通過する間に加湿され、加湿された空気は、送風ファン４８０を通過することができる。
【０４３４】
エアフィルタアセンブリ２８０、水槽２６０、および加湿フィルタアセンブリ３００は、引き出し２２０の前部分から順に後方に配置されるので、空気のフィルタ処理および加湿が促進される。
【０４３５】
空気は、送風ファン４８０の軸方向に吸引され、半径方向に排出され得る。送風ファン４８０を通過した空気は上方に流れ、排出部分１０９を通って外部に排出され得る。言い換えると、空気は、加湿空気清浄機１０の前下部部分に吸い込まれ、後上部部分に排出されるため、流動抵抗が低減され、送風性能を向上させることができる。
【０４３６】
図１６は、本発明の別の実施形態による加湿空気清浄機の構成を示す斜視図であり、図１７は、本発明の別の実施形態による加湿空気清浄機のドアおよびエアフィルタの構成を示す分解斜視図である。
【０４３７】
図１６および図１７を参照すると、本発明の別の実施形態による加湿空気清浄機１０ａは、吸気ユニット２００ａが形成されたドア２００を含む。
【０４３８】
ドア２００は、加湿空気清浄機１０ａの前面を形成しているため、吸気ユニット２００ａは、加湿空気清浄機１０ａの前面に形成されていることが理解できる。エアフィルタアセンブリ２８０は、吸気ユニット２００ａの後方に配置されてもよい。
【０４３９】
したがって、空気はドア２００の前側から吸い込まれて後方に流れ、ドア２００に取り付けられたフィルタアセンブリを通してフィルタ処理され、加湿フィルタアセンブリと送風ファンを通過することができる。さらに、キャビネット１００の上面の後側に形成された排出部分１０９を通して空気を外部に排出することができる。
【０４４０】
前の実施形態で説明したように、ドア２００は、キャビネット１００の前面に引き出されるように、またはキャビネット１００の内側部分に引き込まれるように設けられてもよい。他の加湿空気清浄機の説明は、前の実施形態の説明に基づいている。
【０４４１】
実施形態のすべての要素が１つに結合されるか、または組み合わされた状態で動作されるとしても、本開示はそのような実施形態に限定されない。すなわち、本発明の範囲を逸脱することなく、すべての要素を互いに選択的に組み合わせることができる。さらに、１つの要素がいくつかの要素を備える（または含むまたは有する）と記述されている場合には、それらの要素のみを備える（または含むまたは有する）ことができ、あるいは特定の制限がない場合にはそれらの要素だけでなく他の要素も備える（または含むまたは有する）ことができることを理解されたい。本明細書で特に明確に定義されていない限り、技術用語または科学用語を含むすべての用語には、当業者によって理解される意味が与えられるものとする。辞書で定義される用語と同様に、一般的に使用される用語は、技術的な文脈で使用される意味として解釈する必要があり、ここで特に明確に定義されない限り、理想的または過度に形式的な意味として解釈されない。
【０４４２】
いくつかの例示的な実施形態を参照して実施形態を説明したが、添付の特許請求の範囲で定義された本発明の趣旨および範囲から逸脱することなく、形態および詳細の様々な変更を行うことができることを当業者は理解するであろう。したがって、好ましい実施形態は、限定の目的ではなく説明の意味でのみ考慮されるべきであり、本発明の技術的範囲は実施形態に限定されない。さらに、本発明の詳細な説明によってではなく、添付の特許請求の範囲によって定義され、範囲内のすべての相違は、本開示に含まれると解釈される。
【符号の説明】
【０４４３】
１０  加湿空気清浄機
１０ａ  加湿空気清浄機
３０  凹部部分
１００  キャビネット
１０１  第１のベース
１０３  サイドパネル
１０５  上部パネル
１０７  後部パネル
１０８  ディスプレイ溝
１０８ａ  ディスプレイ
１０８ｂ  入力ユニット
１０９  排出部分
１１０  本体フレーム
１１０ａ  バー
１１０ｂ  下端部分
１１１ａ  第１の補強リブ
１１１ｂ  第２の補強リブ
１１１ｃ  排出流路
１１２  内部空間
１１３  第２のベース
１１５  ベース接続部分
１１６  照明ブラケット
１２０  反射プレート
１２２  照明ＰＣＢ
１２２ａ  照明源
１２４  照明ケース
１２４ａ  空間
１２４ｂ  区画リブ
２００  ドアアセンブリ
２００ａ  吸気ユニット
２１０  ドアパネル
２１０ａ  ハンドル溝
２１０ｂ  溝
２１１  シーリングフレーム
２１１ａ  第１の端部部分
２１１ｂ  第２の端部部分
２１１ｃ  カバーフレーム
２１２  シーリング部材
２１５  補強フレーム
２１５ａ  孔
２１８  パネルフレーム
２２０  引き出し
２２１  ドア前面部分
２２１ａ  パネル結合部分
２２１ｂ  コネクタ
２２２  ドア側面部分
２２２ａ  内側プレート
２２２ｂ  外側プレート
２２２ｃ  補強リブ
２２２ｄ  ガイド設置空間
２２３  ドア後面部分
２２３ａ  接触突起
２２３ｂ  貫通孔
２２４  ドア下面部分
２２５  吸気口
２２５ａ  フィルタガイド
２２５ｂ  フィルタ支持部分
２２５ｃ  ガイドリブ
２２５ｄ  第１の部分
２２５ｅ  第２の部分
２２５ｐ  一部
２２６  エアフィルタ台座部分
２２６ａ  ジョー
２２７  水槽台座部分
２２８  ドア上面部分
２２８ａ  装着溝
２２９ａ  第１の貯水部分
２２９ｂ  第２の貯水部分
２３０  レールガイド
２３５  スライドレール
２３５ａ  本体結合部分
２３５ｂ  レール保持ジョー
２３６  レールカバー
２５５  吸入ポート
２６０  水槽
２６１  水容器支持部分
２６２  フロート収容部分
２６７  フロート装置
２６９  殺菌装置
２７０  水容器
２７１  水容器蓋
２７２  底面
２７２ａ  結合空間
２７２ｂ  バルブ孔
２７３  バルブブラケット
２７５ａ  バルブ孔
２７６  バルブ装置
２８０  エアフィルタアセンブリ
２８０ａ  装着突起
２８０ｂ  挿入突起
２８１  エアフィルタケース
２８１ａ  第１のケース部分
２８１ｂ  第２のケース部分
２８２  フィルタケース
２８２ａ  フィルタカバー
２８２ｂ  フィルタガイド台座部分
２８２ｃ  ハンドル
２８３  フィルタ装着部分
２８３ａ  外側フレーム
２８３ｂ  内側フレーム
２８４ａ  上部固定溝
２８４ｂ  下部固定溝
２８５  エアフィルタ
２８６  取付リブ
２８７  上部固定突起
２８８  下部固定突起
３００  加湿フィルタアセンブリ
３１０  加湿フィルタケース
３１５  シャフト支持部分
３３０  加湿フィルタ
３３１  加湿フィルタフレーム
３３１ａ  収集リブ
３３２  フィルタ媒体
３３５  中心シャフト
３３８  フィルタギヤ
３５３  加湿フィルタモータ
３５５  加湿フィルタ駆動ギヤ
４００  ハウジングアセンブリ
４１０  ファンハウジング
４１１  接触部分
４１５  ファン吸気口
４３０  ハウジングカバー
４５０  電気ユニット
４５１  電気プレート
４５２  ディスプレイモジュール
４５３  電気部品
４８０  送風ファン
４８５  ファンモータ
Ｄ１  下部キャップ
Ｈ４  所定の高さ
Ｐ１  第１の平行線
Ｐ２  第２の平行線
Ｐ３  傾斜線
α１  所定の角度
β  傾斜角
【図１】
2020071017.tif 000003
【図２】
2020071017.tif 000004
【図３】
2020071017.tif 000005
【図４】
2020071017.tif 000006
【図５】
2020071017.tif 000007
【図６】
2020071017.tif 000008
【図７】
2020071017.tif 000009
【図８】
2020071017.tif 000010
【図９】
2020071017.tif 000011
【図１０】
2020071017.tif 000012
【図１１】
2020071017.tif 000013
【図１２】
2020071017.tif 000014
【図１３】
2020071017.tif 000015
【図１４】
2020071017.tif 000016
【図１５】
2020071017.tif 000017
【図１６】
2020071017.tif 000018
【図１７】
2020071017.tif 000019
【外国語明細書】
2020071017000001.pdf